(57)【要約】  ａ）下記構造式（Ｉ）（ここで、Ｒ２は、直鎖状または分岐状のＣ６〜Ｃ２００飽和アルキル残基、または直鎖状または分岐状の１箇所または数箇所が不飽和のＣ６〜Ｃ２００アルケニル残基を意味し、Ｒ１、Ｙ、ｎ、およびｍは、請求項１に示された意味を有する）の重合性物質に由来する１つまたは複数の構造単位を２０．０〜９９．９重量％、ｂ）重合性第四級アンモニウム化合物に由来する１つまたは複数の構造単位を０．１〜２０．０重量％、およびｃ）１つまたは複数のさらなる重合性物質に由来する１つまたは複数の非イオン性構造単位を０〜６０．０重量％含むコポリマーを記載する。このコポリマーは、例えば、化粧用、皮膚科用、または医薬用調剤の製造に有利に適している。
2012522852.tif 000002
【特許請求の範囲】
【請求項１】
以下を含むコポリマー：
ａ）  下記構造式（Ｉ）
【化１】
2012522852.tif 000032
［ここで、
Ｒ１は、水素またはメチルを意味し、
Ｙは、化学結合、Ｏ、ＮＲ３、Ｓ、ＰＲ３、ＣＨ２、ＣＨ２Ｏ、ＣＨ２ＮＲ３、ＣＨ２Ｓ、Ｃ（Ｏ）、Ｃ（ＮＲ３）、Ｃ（Ｏ）Ｏ、Ｃ（Ｏ）ＮＲ３、Ｃ（ＮＲ４）ＮＲ３、Ｃ（Ｏ）Ｓ、Ｒ６ＯＣ（Ｏ）Ｏ、Ｒ６ＯＣ（Ｏ）ＮＲ３、Ｒ６Ｒ３ＮＣ（Ｏ）ＮＲ４、Ｒ６ＮＲ３Ｃ（ＮＲ５）ＮＲ４、Ｒ６ＯＣ（Ｏ）Ｓ、Ｒ６Ｐ（Ｏ）Ｏ、Ｒ６ＯＰ（Ｏ）Ｏ、Ｒ６Ｓ（Ｏ）、Ｒ６Ｓ（Ｏ）（Ｏ）、Ｒ６Ｓ（Ｏ）Ｏ、Ｒ６Ｓ（Ｏ）（Ｏ）Ｏ、Ｒ６ＯＳ（Ｏ）ＯまたはＲ６ＯＳ（Ｏ）（Ｏ）Ｏを意味し、
Ｒ２は、６〜２００個のＣ原子を有する直鎖状または分岐状の飽和アルキル残基、または直鎖状または分岐状の、６〜２００個のＣ原子を有するモノまたはポリ不飽和アルケニル残基を意味し、
Ｒ３、Ｒ４およびＲ５は、それぞれ互いに独立に、水素、または１〜２００個のＣ原子を有する直鎖状もしくは分岐状の飽和アルキル残基、または２〜２００個のＣ原子を有する直鎖状または分岐状のモノもしくはポリ不飽和アルケニル残基を意味し、
Ｒ６は、化学結合またはＣＨ２を意味し、そして
ｎおよびｍは、それぞれ互いに独立に、０〜２００の整数を意味する］
で表される重合性物質に由来する１つまたは複数の構造単位を２０．０〜９９．９重量％、
ｂ）  重合性第四級アンモニウム化合物に由来する１つまたは複数の構造単位を０．１〜２０．０重量％、および
ｃ）  １つまたは複数のさらなる重合性物質に由来する１つまたは複数の非イオン性構造単位を０〜６０．０重量％。
【請求項２】
下記構造式（Ｉ）：
【化２】
2012522852.tif 000033
［ここで、
Ｒ１は、水素またはメチルを意味し、
Ｙは、化学結合、Ｏ、ＮＲ３、Ｓ、ＣＨ２Ｏ、ＣＨ２ＮＲ３、ＣＨ２Ｓ、Ｃ（Ｏ）、Ｃ（ＮＲ３）、Ｃ（Ｏ）ＯまたはＣ（Ｏ）ＮＲ３、好ましくは化学結合、Ｏ、ＮＲ３、ＣＨ２Ｏ、ＣＨ２ＮＲ３、Ｃ（Ｏ）ＯまたはＣ（Ｏ）ＮＲ３、そして特に好ましくは、化学結合、Ｃ（Ｏ）ＯまたはＣ（Ｏ）ＮＲ３を意味し、
Ｒ２は、直鎖状または分岐状の６〜２００、好ましくは８〜５８、特に好ましくは１２〜４０、および極めて好ましくは１２〜３０個のＣ原子を有する飽和アルキル残基、または直鎖状または分岐状の、６〜２００、好ましくは８〜５８、特に好ましくは１２〜４０、および極めて好ましくは１２〜３０個のＣ原子を有するモノまたはポリ不飽和アルケニル残基を意味し、
Ｒ３は、水素またはメチルを意味し、そして
ｎおよびｍは、それぞれ互いに独立に、０〜２００、好ましくは０〜１００、特に好ましくは０〜５０、および極めて好ましくは０〜３０の整数を意味する］
で表される重合性物質に由来する１つまたは複数の成分ａ）の構造単位を２０．０〜９９．９重量％含むことを特徴とする、請求項１に記載のコポリマー。
【請求項３】
下記構造式（Ｉａ）、（Ｉｂ）および（Ｉｃ）から選ばれる１つまたは複数の重合性化合物に由来する成分ａ）の１つまたは複数の構造単位を２０．０〜９９．９重量％含むことを特徴とする、請求項１または２に記載のコポリマー：
【化３】
2012522852.tif 000034
［ここで、
Ｒ１は、水素またはメチルを意味し、
Ｒ２は、直鎖状または分岐状の６〜２００、好ましくは８〜５８、特に好ましくは１２〜４０、および極めて好ましくは１２〜３０個のＣ原子を有する飽和アルキル残基、または直鎖状または分岐状の、６〜２００、好ましくは８〜５８、特に好ましくは１２〜４０、および極めて好ましくは１２〜３０個のＣ原子を有するモノまたはポリ不飽和アルケニル残基を意味し、
ｎおよびｍは、それぞれ互いに独立に、０〜２００、好ましくは０〜１００、特に好ましくは０〜５０、および極めて好ましくは０〜３０の整数を意味し、和ｎ＋ｍが、１〜２００、好ましくは２〜１００、特に好ましくは３〜５０、および極めて好ましくは３〜３０の数である］。
【請求項４】
式（Ｉａ）の前記化合物が、ヘキシルアクリラート、ヘキシルメタクリラート、デシルアクリラート、デシルメタクリラート、ラウリルアクリラート、ラウリルメタクリラート、ヘキサデシルアクリラート、ヘキサデシルメタクリラート、ステアリルアクリラート、ステアリルメタクリラート、イソステアリルアクリラート、イソステアリルメタクリラート、オクチルドデシルアクリラート、オクチルドデシルメタクリラート、ベヘニルアクリラートおよびベヘニルメタクリラートから選択され、式（Ｉｂ）の前記化合物が、７個のＥＯ単位を有するラウリルアルコールのアクリル酸エステル、７個のＥＯ単位を有するラウリルアルコールのメタクリル酸エステル、８個のＥＯ単位を有するタリル（Ｔａｌｙｌ）アルコールのアクリル酸エステル、８個のＥＯ単位を有するタリルアルコールのメタクリル酸エステル、２５個のＥＯ単位を有するタリルアルコールのアクリル酸エステル、２５個のＥＯ単位を有するタリルアルコールのメタクリル酸エステル、２５個のＥＯ単位を有するベヘニルアルコールのアクリル酸エステルおよび２５個のＥＯ単位を有するベヘニルアルコールのメタクリル酸エステルから選択され、そして式（Ｉｃ）の前記化合物が、Ｃ２６α−オレフィン、Ｃ２８α−オレフィン、Ｃ２６〜Ｃ２８α−オレフィンおよびＣ３０α−オレフィンから選択されることを特徴とする、請求項３に記載のコポリマー。
【請求項５】
式（Ｉ）の化合物中、または式（Ｉａ）、（Ｉｂ）および（Ｉｃ）の化合物中のＲ２が、直鎖状または分岐状の、好ましくは直鎖状の、６〜２００、好ましくは８〜５８、特に好ましくは１２〜４０、および極めて好ましくは１２〜３０個のＣ原子を有する飽和アルキル残基であることを特徴とする、請求項１〜４のいずれか一つに記載のコポリマー。
【請求項６】
前記成分ｂ）の構造単位が、以下：
ｂ１）  下記構造式（ＩＩ）
Ｘ−＋ＮＲ７Ｒ８Ｒ９Ｒ１０      （ＩＩ）
［ここで、
Ｘ−は、負に荷電した対イオンを意味し、
Ｒ７は、ビニル残基、アリル残基、または構造式（ＩＩＩ）
【化４】
2012522852.tif 000035
（ここで、
Ｒ１１は、水素またはメチルを意味し、
Ｚは、Ｏ、ＮＨ、ＮＣＨ３またはＳを意味し、
ｎは、１〜５０の整数を意味する）
で表される残基を意味し、
Ｒ８は、直鎖状または分岐状の、１〜５０個のＣ原子を有するアルキル残基、または残基Ｒ７を意味し、
Ｒ９は、直鎖状または分岐状の、１〜５０個のＣ原子を有するアルキル残基、または残基Ｒ７を意味し、そして
Ｒ１０は、直鎖状または分岐状の、１〜５０個のＣ原子を有するアルキル残基を意味する］
で表される重合性第四級アンモニウム化合物、および
ｂ２）  下記構造式（ＩＶ）
【化５】
2012522852.tif 000036
［ここで、
ｏおよびｐは、それぞれ互いに独立に０〜５の整数を意味し、
Ａは、Ｃ、ＣＨ、ＮまたはＰを意味し、そして
Ｘ−は、負に荷電した対イオンを意味する］
で表される重合性環状第四級アンモニウム化合物、
から選択される物質に由来することを特徴とする、請求項１〜５のいずれか一つに記載のコポリマー。
【請求項７】
式（ＩＩ）および（ＩＶ）中の前記負に荷電した対イオンＸ−が、塩化物、臭化物、ヨウ化物、１／２ＳＯ４２−およびメトスルファートから選択されることを特徴とする、請求項６に記載のコポリマー。
【請求項８】
前記成分ｂ）の構造単位が、ジアリルジメチルアンモニウムクロリド（ＤＡＤＭＡＣ）、［２−（メタクリロイルオキシ）エチル］トリメチルアンモニウムクロリド（ＭＡＯＥＴＡＣ）、［２−（アクリロイルオキシ）エチル］トリメチルアンモニウムクロリド（ＡＯＥＴＡＣ）、［２−メタクリルアミドエチル］トリメチルアンモニウムクロリド、［２−（アクリルアミド）エチル］トリメチルアンモニウムクロリド、［３−メタクリルアミドプロピル］トリメチルアンモニウムクロリド（ＭＡＰＴＡＣ）、［３−アクリルアミドプロピル］トリメチルアンモニウムクロリド（ＡＰＴＡＣ）、Ｎ−メチル−２−ビニルピリジニウムクロリド、Ｎ−メチル−４−ビニルピリジニウムクロリド、およびＮ−メチル−３−ビニルイミダゾリニウムクロリドから選択される重合性第四級アンモニウム化合物に由来することを特徴とする、請求項１〜７のいずれか一つに記載のコポリマー。
【請求項９】
前記成分ｂ）の構造単位が、前記構造式（ＩＩ）の重合性第四級アンモニウム化合物に由来することを特徴とする、請求項６〜８のいずれか一つに記載のコポリマー。
【請求項１０】
架橋を生じることのできる、１つを超える重合性基を有するモノマーから選択される物質に由来する前記成分ｃ）の構造単位を１つまたはそれ以上含むことを特徴とする、請求項１〜９のいずれか一つに記載のコポリマー。
【請求項１１】
前記成分ｃ）の構造単位が、ジビニルベンゼン、メチレンビスアクリルアミド（ＭＢＡ）、トリアリルアミン、トリアリルシアシアヌラート、エタンジオールジアクリラート、エタンジオールジメタクリラート（ＥＤＤＭＡ）、ブタンジオールジアクリラート、ブタンジオールジメタクリラート（ＢＤＤＭＡ）、ヘキサンジオールジアクリラート、ヘキサンジオールジメタクリラート（ＨＤＤＭＡ）、ドデカンジオールジアクリラート、ドデカンジオールジメタクリラート（ＤＤＤＭＡ）、トリメチロールプロパントリアクリラート（ＴＭＰＴＡ）、トリメチロールプロパントリメタクリラート（ＴＭＰＴＭＡ）、グリセリンジアクリラート、グリセリンジメタクリラート、テトラエチレングリコールジアクリラート、テトラエチレングリコールジメタクリラート、モル質量４００〜８００ｇ／ｍｏｌのポリエチレングリコールジアクリラート、モル質量４００〜８００ｇ／ｍｏｌのポリエチレングリコールジメタクリラート、アクリル酸アリルエステル、メタクリル酸アリルエステルまたはエタクリル酸アリルエステル、好ましくはアクリル酸アリルエステルまたはメタクリル酸アリルエステル、および特に好ましくはメタクリル酸アリルエステル（ＡＭＡ）、ジプロピレングリコールジアリルエーテル、ポリグリコールジアリルエーテル、ヒドロキノンジアリルエーテル、トリメチロールプロパンジアリルエーテル、トリメチロールプロパントリアリルエーテル、テトラアリルオキシエタン、トリエチレングリコールジビニルエーテル、および他の多官能性アルコールのアリルエーテル類もしくはビニルエーテル類、ならびに前記物質の混合物から選択される物質に由来することを特徴とする、請求項１〜１０のいずれか一つに記載のコポリマー。
【請求項１２】
前記成分ａ）の構造単位の量が６０．０〜９９．５重量％、前記成分ｂ）の構造単位の量が０．５〜２０．０重量％、および前記成分ｃ）の構造単位の量が０〜２０．０重量％であることを特徴とする、請求項１〜１１のいずれか一つに記載のコポリマー。
【請求項１３】
前記成分ａ）の構造単位の量が８０．０〜９８．０重量％、前記成分ｂ）の構造単位の量が０．７〜１１．０重量％、および前記成分ｃ）の構造単位の量が０〜１１．０重量％であることを特徴とする、請求項１〜１２のいずれか一つに記載のコポリマー。
【請求項１４】
前記成分ａ）内に、前記式（Ｉａ）の化合物に由来する構造単位を５０．０〜１００．０重量％、前記式（Ｉｂ）の化合物に由来する構造単位を０〜４０．０量％、および前記式（Ｉｃ）の化合物に由来する構造単位を０〜２０．０重量％含有することを特徴とする、請求項１〜１３のいずれか一つに記載のコポリマー。
【請求項１５】
アニオン性の重合性物質に由来する構造単位を含まないことを特徴とする、請求項１〜１４のいずれか一つに記載のコポリマー。
【請求項１６】
成分ａ）およびｂ）で挙げた構造単位からなることを特徴とする、請求項１〜１５のいずれか一つに記載のコポリマー。
【請求項１７】
成分ａ）、ｂ）およびｃ）で挙げた構造単位からなることを特徴とする、請求項１〜１５のいずれか一つに記載のコポリマー。
【請求項１８】
前記成分ｃ）の構造単位が架橋性構造単位から選択されることを特徴とする、請求項１７に記載のコポリマー。
【請求項１９】
モノマーをラジカル重合させることを特徴とする、請求項１〜１８のいずれか一つに記載のコポリマーの製造方法。
【請求項２０】
請求項１〜１８のいずれか一つに記載のコポリマーを１種または複数種含む化粧用、医薬用または皮膚用調合物。
【請求項２１】
油を増粘するための、請求項１〜１８のいずれか一つに記載の１種または複数種のコポリマーの使用。
【請求項２２】
繊維、好ましくはケラチン繊維のコンディショニングのための、請求項１〜１８のいずれか一つに記載の１種または複数種のコポリマーの使用。
【請求項２３】
日焼け防止調合物の耐水性の向上のための、請求項１〜１８のいずれか一つに記載の１種または複数種のコポリマーの使用。
【請求項２４】
日焼け防止調合物の紫外線防御指数の向上のための、請求項１〜１８のいずれか一つに記載の１種または複数種のコポリマーの使用。
【請求項２５】
乳化剤としての、請求項１〜１８のいずれか一つに記載の１種または複数種のコポリマーの使用。
【発明の詳細な説明】
【技術分野】
【０００１】
本発明は、カチオン性櫛型コポリマー、そのようなカチオン性櫛型コポリマーの製造方法、ならびにこのコポリマーの化粧用、医薬用、および皮膚用調合物への使用に関する。
【背景技術】
【０００２】
消費者の要求と化粧用品のレオロジーは互いに密接に関連している。例えば、シャンプーやクリームリンスの見た目、および油分の取り扱い性は粘度に影響される。粘稠度や延びといった感覚的性質が個々の化粧品の特質を決定する。作用物質（例えば日焼け防止フィルター）の有効性だけでなく、調合物の保存安定性も、製品のレオロジー的性質に密接に関連している。
【０００３】
化粧品の分野において、カチオン性ポリマーは、コンディショナーとして重要な役割を果たしている。従来技術では、特にコンディショナーは、ポリジアリルジメチルアンモニウムクロリドおよびその水溶性コポリマーをベースとしている。取り得る多様な構造、およびこれによる多様な利用可能性は、とりわけ７０年代半ばから世界中で出願された多数の特許に記載されている。ポリジアリルジメチルアンモニウムクロリド系のコンディショナーの大きな欠点は、これが油系の調合物では、増粘能力が不十分であることである。この調合物の粘稠度を改善するために、しばしば脂肪やワックスが加えられるが、これは、べたつきやざらざらした肌触りといった欠点を伴う。
【先行技術文献】
【特許文献】
【０００４】
【特許文献１】国際公開第２００４／０４１２２０号
【特許文献２】国際公開第２００４／０４１１５０号
【特許文献３】欧州特許第１６８１０４６号
【特許文献４】欧州特許第１６９３０４７号
【発明の概要】
【発明が解決しようとする課題】
【０００５】
本発明の目的は、皮膚および毛髪に対するコンディショニング特性を示し、同時に油系の調合物あるいは油分の比率が高い調合物においても良好な粘稠度を与える性質を有する、化粧用、医薬用および皮膚用の調合物のための物質を提供することである。
【課題を解決するための手段】
【０００６】
驚くべきことに、この目的は、重合性第四級アンモニウム化合物と、少なくとも６個の炭素原子を有する炭化水素基を含む重合性非イオン性化合物とから形式的に（ｆｏｒｍｅｌｌ）誘導される構造単位を含有する、特定のカチオン性櫛型コポリマーによって達成されることが見出された。
【０００７】
本発明の態様は、以下の成分ａ）〜ｃ）を含むコポリマーである。
ａ）  下記構造式（Ｉ）の重合性物質に由来する１つまたは複数の構造単位を２０．０〜９９．９重量％、
【０００８】
【化１】
2012522852.tif 000003
［ここで、
Ｒ１は、水素またはメチルを意味し、
Ｙは、化学結合、Ｏ、ＮＲ３、Ｓ、ＰＲ３、ＣＨ２、ＣＨ２Ｏ、ＣＨ２ＮＲ３、ＣＨ２Ｓ、Ｃ（Ｏ）、Ｃ（ＮＲ３）、Ｃ（Ｏ）Ｏ、Ｃ（Ｏ）ＮＲ３、Ｃ（ＮＲ４）ＮＲ３、Ｃ（Ｏ）Ｓ、Ｒ６ＯＣ（Ｏ）Ｏ、Ｒ６ＯＣ（Ｏ）ＮＲ３、Ｒ６Ｒ３ＮＣ（Ｏ）ＮＲ４、Ｒ６ＮＲ３Ｃ（ＮＲ５）ＮＲ４、Ｒ６ＯＣ（Ｏ）Ｓ、Ｒ６Ｐ（Ｏ）Ｏ、Ｒ６ＯＰ（Ｏ）Ｏ、Ｒ６Ｓ（Ｏ）、Ｒ６Ｓ（Ｏ）（Ｏ）、Ｒ６Ｓ（Ｏ）Ｏ、Ｒ６Ｓ（Ｏ）（Ｏ）Ｏ、Ｒ６ＯＳ（Ｏ）ＯまたはＲ６ＯＳ（Ｏ）（Ｏ）Ｏを意味し、
Ｒ２は、直鎖状または分岐状のＣ６〜Ｃ２００飽和アルキル残基、または直鎖状または分岐状の、モノまたはポリ不飽和Ｃ６〜Ｃ２００アルケニル残基を意味し、
Ｒ３、Ｒ４およびＲ５は、それぞれ互いに独立に、水素、あるいは直鎖状または分岐状の飽和Ｃ１〜Ｃ２００アルキル残基、あるいは直鎖状または分岐状の、モノまたはポリ不飽和Ｃ２〜Ｃ２００のアルケニル残基を意味し、
Ｒ６は、化学結合またはＣＨ２を意味し、
ｎおよびｍは、それぞれ互いに独立に、０〜２００の整数を意味する］
ｂ）  重合性第四級アンモニウム化合物に由来する１つまたは複数の構造単位を０．１〜２０．０重量％、
ｃ）  １つまたは複数のさらなる重合性物質に由来する１つまたは複数の非イオン性構造単位を０〜６０．０重量％。
【０００９】
上記成分ｃ）において述べた「１つまたは複数のさらなる重合性物質に由来する」という概念は、本発明の範囲において、成分ｃ）が上記式（Ｉ）で規定された化合物を含まないことを意味する。
【００１０】
本発明のコポリマーは、無色から不透明および透明で、良好な肌触りをもたらし、また毛髪に光沢および良好な髪通りを与える。また、多様な化粧用、医薬用、および皮膚用調合物の製造に適しており、特に水・油系、または油系の調合物への適合性が良好である。また、優れた油結合能力を示し、さらに油を良好に増粘することができる。加えて、良好な分散性を示すとともに、エマルジョンおよびクリームの粘稠度を安定にするのに適している。さらに、耐水性のある日焼け防止製品の調製に適している。
【００１１】
国際公開第２００４／０４１２２０号（特許文献１）および国際公開第２００４／０４１１５０号（特許文献２）には、液状脂肪相の他に、Ｃ１４〜Ｃ２４−α−オレフィンと、カルボン酸エステル、好ましくはＣ１４〜Ｃ２４−アルキル（メタ）アクリラートまたはＣ１１〜Ｃ１５−ペルフルオロアルキル（メタ）アクリラートおよびＮ−アルキル（メタ）アクリルアミドから選択されるさらなるモノマーとからなる半結晶性ポリマーを含む化粧用調合物、特に口紅およびメークアップ用品が記載されている。
【００１２】
欧州特許第１６８１０４６号（特許文献３）には、コポリマーワックスを含有する化粧用、医薬用、および皮膚用調合物が記載されている。このコポリマーワックスは、Ｃ２６〜Ｃ６０のα−オレフィンと、（メタ）アクリル酸の誘導体、例えばエステル、アミドまたは塩と、場合によってはさらなるモノマーとから形式的に導出される構造単位を含有する。
【００１３】
欧州特許第１６９３０４７号（特許文献４）には、コポリマーワックスを含有する化粧用、医薬用、および皮膚用調合物が記載されている。このコポリマーワックスは、Ｃ２６〜Ｃ６０のα−オレフィンから、無水マレイン酸、マレイン酸またはそれらの塩から、および場合によってはさらなるモノマーから誘導される構造単位を含有する。
【００１４】
好ましい本発明によるコポリマーは、下記構造式（Ｉ）の重合性物質に由来する１つまたは複数の成分ａ）の構造単位を２０．０〜９９．９重量％含む。
【００１５】
【化２】
2012522852.tif 000004
［ここで、
Ｒ１は、水素またはメチルを意味し、
Ｙは、化学結合、Ｏ、ＮＲ３、Ｓ、ＣＨ２Ｏ、ＣＨ２ＮＲ３、ＣＨ２Ｓ、Ｃ（Ｏ）、Ｃ（ＮＲ３）、Ｃ（Ｏ）ＯまたはＣ（Ｏ）ＮＲ３、好ましくは化学結合、Ｏ、ＮＲ３、ＣＨ２Ｏ、ＣＨ２ＮＲ３、Ｃ（Ｏ）ＯまたはＣ（Ｏ）ＮＲ３、また特に好ましくは、化学結合、Ｃ（Ｏ）ＯまたはＣ（Ｏ）ＮＲ３を意味し、
Ｒ２は、直鎖状または分岐状のＣ６〜Ｃ２００、好ましくはＣ８〜Ｃ５８、特に好ましくはＣ１２〜Ｃ４０、および極めて好ましくはＣ１２〜Ｃ３０の飽和アルキル残基、または直鎖状または分岐状のモノまたはポリ不飽和Ｃ６〜Ｃ２００、好ましくはＣ８〜Ｃ５８、特に好ましくはＣ１２〜Ｃ４０、および極めて好ましくはＣ１２〜Ｃ３０のアルケニル残基を意味し、
Ｒ３は、水素またはメチルを意味し、
ｎおよびｍは、それぞれ互いに独立に、０〜２００、好ましくは０〜１００、特に好ましくは０〜５０、および極めて好ましくは０〜３０の整数を意味する］
【００１６】
式（Ｉ）の化合物中のＹは、特に好ましくは化学結合またはＣ（Ｏ）Ｏである。
【００１７】
特に好ましい本発明によるコポリマーは、下記構造式（Ｉａ）、（Ｉｂ）、および（Ｉｃ）から選択される１つまたは複数の重合性化合物に由来する成分ａ）の１つまたは複数の構造単位を２０．０〜９９．９重量％含む。
【００１８】
【化３】
2012522852.tif 000005
［ここで、
Ｒ１は、水素またはメチルを意味し、
Ｒ２は、直鎖状または分岐状のＣ６〜Ｃ２００、好ましくはＣ８〜Ｃ５８、特に好ましくはＣ１２〜Ｃ４０、および極めて好ましくはＣ１２〜Ｃ３０の飽和アルキル残基、または直鎖状または分岐状のモノまたはポリ不飽和のＣ６〜Ｃ２００、好ましくはＣ８〜Ｃ５８、特に好ましくはＣ１２〜Ｃ４０、および極めて好ましくはＣ１２〜Ｃ３０のアルケニル残基を意味し、
ｎおよびｍは、それぞれ互いに独立に、０〜２００、好ましくは０〜１００、特に好ましくは０〜５０、および極めて好ましくは０〜３０の整数で、和ｎ＋ｍが、１〜２００、好ましくは２〜１００、特に好ましくは３〜５０、および極めて好ましくは３〜３０の数である］
【００１９】
本発明の好ましい一実施形態では、式（Ｉａ）の化合物のうち、アルキルアルコールの（メタ）アクリル酸エステルが好ましい。すなわち、式（Ｉａ）の好ましい化合物において、Ｒ２はアルキル残基である。本発明の特に好ましい一実施形態では、これらの化合物中のＲ２は直鎖状アルキル残基である。
【００２０】
「（メタ）アクリル」という表記は、本発明においては「アクリル」および「メタクリル」の両方を意味する略記法である。
【００２１】
本発明のさらなる好ましい一実施形態では、式（Ｉａ）の化合物のうち、ラウリルアルコール、ミリスチルアルコール、セチルアルコール、ステアリルアルコール、イソステアリルアルコール、オレイルアルコール、オクチルドデシルアルコール、ベヘニルアルコール、およびミリシルアルコールの（メタ）アクリル酸エステルが好ましい。
【００２２】
本発明のさらなる好ましい一実施形態では、式（Ｉａ）の化合物のうち、Ｃ１２〜Ｃ２２のアルコールの（メタ）アクリル酸エステルが好ましい。この本発明の好ましい実施形態では、式（Ｉａ）の化合物のうち、ラウリルアルコール、ミリスチルアルコール、セチルアルコール、ステアリルアルコール、イソステアリルアルコール、オレイルアルコール、オクチルドデシルアルコール、およびベヘニルアルコールの（メタ）アクリル酸エステルが特に好ましく、ラウリルアルコール、セチルアルコール、ステアリルアルコール、イソステアリルアルコール、オクチルドデシルアルコール、およびベヘニルアルコールの（メタ）アクリル酸エステルが極めて好ましい。ここに挙げた（メタ）アクリル酸エステルのうち、さらに直鎖状アルキルアルコールのエステルが好ましい。
【００２３】
本発明のさらなる好ましい一実施形態では、式（Ｉｂ）の化合物のうち、アルキルポリエチレングリコール、アルキルポリプロピレングリコール、およびアルキルポリエチレン−ポリプロピレングリコールの（メタ）アクリル酸エステルから選択される物質が好ましい。すなわち、この好ましい式（Ｉｂ）の化合物中のＲ２は、アルキル残基である。本発明の特に好ましい一実施形態では、この化合物中のＲ２は、直鎖状アルキル残基である。
【００２４】
本発明のさらなる好ましい一実施形態では、式（Ｉｂ）の化合物における「ｍ」は０である。すなわち、この化合物は、単にエトキシ化された化合物である。前記式（Ｉｂ）の化合物におけるｍが０である場合、ｎは、１〜２００、好ましくは２〜１００、特に好ましくは３〜５０、極めて好ましくは３〜３０の整数である。
【００２５】
本発明のさらなる好ましい一実施形態では、式（Ｉｂ）の化合物のうち、以下から選択されるアルコールポリグリコールエーテルのアクリル酸エステルおよび／またはメタクリル酸エステルが好ましい。
ａ）  ラウリルエトキシラート、特に
Ｇｅｎａｐｏｌ（登録商標）ＬＡ０２０    ２個のＥＯ単位を有するラウリルエトキシラート    Ｃ１２／１４−アルコール、直鎖
Ｇｅｎａｐｏｌ（登録商標）ＬＡ０３０    ３個のＥＯ単位を有するラウリルエトキシラート    Ｃ１２／１４−アルコール、直鎖
Ｇｅｎａｐｏｌ（登録商標）ＬＡ０４０    ４個のＥＯ単位を有するラウリルエトキシラート    Ｃ１２／１４−アルコール、直鎖
Ｇｅｎａｐｏｌ（登録商標）ＬＡ０５０    ５個のＥＯ単位を有するラウリルエトキシラート    Ｃ１２／１４−アルコール、直鎖
Ｇｅｎａｐｏｌ（登録商標）ＬＡ０７０    ７個のＥＯ単位を有するラウリルエトキシラート    Ｃ１２／１４−アルコール、直鎖
Ｇｅｎａｐｏｌ（登録商標）ＬＡ０８０    ８個のＥＯ単位を有するラウリルエトキシラート    Ｃ１２／１４−アルコール、直鎖
Ｇｅｎａｐｏｌ（登録商標）ＬＡ０９０    ９個のＥＯ単位を有するラウリルエトキシラート    Ｃ１２／１４−アルコール、直鎖
Ｇｅｎａｐｏｌ（登録商標）ＬＡ１１０    １１個のＥＯ単位を有するラウリルエトキシラート    Ｃ１２／１４−アルコール、直鎖
Ｇｅｎａｐｏｌ（登録商標）ＬＡ２００    ２０個のＥＯ単位を有するラウリルエトキシラート    Ｃ１２／１４−アルコール、直鎖
Ｇｅｎａｐｏｌ（登録商標）ＬＡ２３１０    ２３個のＥＯ単位を有するラウリルエトキシラート    Ｃ１２／１４−アルコール、直鎖
Ｇｅｎａｐｏｌ（登録商標）ＬＡ２５０    ２５個のＥＯ単位を有するラウリルエトキシラート    Ｃ１２／１４−アルコール、直鎖
ｂ）    ヤシ油脂肪アルキルエトキシラート、特に、
Ｇｅｎａｐｏｌ（登録商標）Ｃ０５０    ５個のＥＯ単位を有するＣ１２／１４／１６−アルキルエトキシラート    Ｃ１２／１４／１６−アルコール、直鎖
Ｇｅｎａｐｏｌ（登録商標）Ｃ１００    １０個のＥＯ単位を有するＣ１２／１４／１６−アルキルエトキシラート    Ｃ１２／１４／１６−アルコール、直鎖
Ｇｅｎａｐｏｌ（登録商標）Ｃ２００    ２０個のＥＯ単位を有するＣ１２／１４／１６−アルキルエトキシラート    Ｃ１２／１４／１６−アルコール、直鎖
Ｇｅｎａｐｏｌ（登録商標）Ｃ２５０    ２５個のＥＯ単位を有するＣ１２／１４／１６−アルキルエトキシラート    Ｃ１２／１４／１６−アルコール、直鎖
Ｇｅｎａｐｏｌ（登録商標）Ｕ１００    １０個のＥＯ単位を有するＣ１４／１６／１８−アルキルエトキシラート    Ｃ１４／１６／１８−アルコール、不飽和
Ｇｅｎａｐｏｌ（登録商標）Ｕ２００    ２０個のＥＯ単位を有するＣ１４／１６／１８−アルキルエトキシラート    Ｃ１４／１６／１８−アルコール、不飽和
Ｇｅｎａｐｏｌ（登録商標）ＧＳ０８０    ８個のＥＯ単位を有するＣ１２〜２０−アルキルエトキシラート    Ｃ１２〜２０−アルコール、直鎖
ｃ）    オレイルエトキシラート、特に
Ｇｅｎａｐｏｌ（登録商標）Ｏ０２０    ２個のＥＯ単位を有するオレイルエトキシラート    Ｃ１６／１８−アルコール、直鎖、不飽和
Ｇｅｎａｐｏｌ（登録商標）Ｏ０５０    ５個のＥＯ単位を有するオレイルエトキシラート    Ｃ１６／１８−アルコール、直鎖、不飽和
Ｇｅｎａｐｏｌ（登録商標）Ｏ０８０    ８個のＥＯ単位を有するオレイルエトキシラート    Ｃ１６／１８−アルコール、直鎖、不飽和
Ｇｅｎａｐｏｌ（登録商標）Ｏ１００    １０個のＥＯ単位を有するオレイルエトキシラート    Ｃ１６／１８−アルコール、直鎖、不飽和
Ｇｅｎａｐｏｌ（登録商標）Ｏ１２０    １２個のＥＯ単位を有するオレイルエトキシラート    Ｃ１６／１８−アルコール、直鎖、不飽和
Ｇｅｎａｐｏｌ（登録商標）Ｏ１５０    １５個のＥＯ単位を有するオレイルエトキシラート    Ｃ１６／１８−アルコール、直鎖、不飽和
Ｇｅｎａｐｏｌ（登録商標）Ｏ２００    ２０個のＥＯ単位を有するオレイルエトキシラート    Ｃ１６／１８−アルコール、直鎖、不飽和
Ｇｅｎａｐｏｌ（登録商標）Ｏ２３０    ２３個のＥＯ単位を有するオレイルエトキシラート    Ｃ１６／１８−アルコール、直鎖、不飽和
Ｇｅｎａｐｏｌ（登録商標）Ｏ２５０    ２５個のＥＯ単位を有するオレイルエトキシラート    Ｃ１６／１８−アルコール、直鎖、不飽和
Ｇｅｎａｐｏｌ（登録商標）Ｏ３００    ３０個のＥＯ単位を有するオレイルエトキシラート    Ｃ１６／１８−アルコール、直鎖、不飽和
ｄ）    牛脂アルキルエトキシラート（Ｔａｌｋａｌｋｙｌｅｔｈｏｘｙｌａｔｅｎ）、特に
Ｇｅｎａｐｏｌ（登録商標）Ｔ０８０    ８個のＥＯ単位を有する牛脂アルキルエトキシラート    Ｃ１６／１８−アルコール、直鎖、不飽和
Ｇｅｎａｐｏｌ（登録商標）Ｔ１１０    １１個のＥＯ単位を有する牛脂アルキルエトキシラート    Ｃ１６／１８−アルコール、直鎖、不飽和
Ｇｅｎａｐｏｌ（登録商標）Ｔ１５０    １５個のＥＯ単位を有する牛脂アルキルエトキシラート    Ｃ１６／１８−アルコール、直鎖、不飽和
Ｇｅｎａｐｏｌ（登録商標）Ｔ２００    ２０個のＥＯ単位を有する牛脂アルキルエトキシラート    Ｃ１６／１８−アルコール、直鎖、不飽和
Ｇｅｎａｐｏｌ（登録商標）Ｔ２５０    ２５個のＥＯ単位を有する牛脂アルキルエトキシラート    Ｃ１６／１８−アルコール、直鎖、不飽和
Ｇｅｎａｐｏｌ（登録商標）Ｔ５００    ５０個のＥＯ単位を有する牛脂アルキルエトキシラート    Ｃ１６／１８−アルコール、直鎖、不飽和
Ｇｅｎａｐｏｌ（登録商標）Ｔ８００    ８０個のＥＯ単位を有する牛脂アルキルエトキシラート    Ｃ１６／１８−アルコール、直鎖、不飽和
ｅ）    ステアリルアルコールエトキシラート、特に
Ｇｅｎａｐｏｌ（登録商標）ＨＳ０２０    ２個のＥＯ単位を有するステアリルアルコール    Ｃ６／１８−アルコール、直鎖、飽和
Ｇｅｎａｐｏｌ（登録商標）ＨＳ２００    ２０個のＥＯ単位を有するステアリルアルコール    Ｃ６／１８−アルコール、直鎖、飽和
ｆ）    Ｃ１１−アルキルエトキシラート、特に
Ｅｍｕｌｓｏｇｅｎ（登録商標）ＥＰＮ１１８    １１個のＥＯ単位を有するＣ１１−アルキルエトキシラート    Ｃ１１−アルコール、直鎖、分岐少々
Ｅｍｕｌｓｏｇｅｎ（登録商標）ＥＰＮ２８７    ２８個のＥＯ単位を有するＣ１１−アルキルエトキシラート    Ｃ１１−アルコール、直鎖、分岐少々
Ｅｍｕｌｓｏｇｅｎ（登録商標）ＥＰＮ４０７    ４０個のＥＯ単位を有するＣ１１−アルキルエトキシラート    Ｃ１１−アルコール、直鎖、分岐少々
Ｅｍｕｌｓｏｇｅｎ（登録商標）ＬＣＮ０５０    ５個のＥＯ単位を有するＣ１１−アルキルエトキシラート    Ｃ１１−アルコール、分岐
Ｅｍｕｌｓｏｇｅｎ（登録商標）ＬＣＮ０７０    ７個のＥＯ単位を有するＣ１１−アルキルエトキシラート    Ｃ１１−アルコール、分岐
Ｅｍｕｌｓｏｇｅｎ（登録商標）ＬＣＮ０８８    ８個のＥＯ単位を有するＣ１１−アルキルエトキシラート    Ｃ１１−アルコール、分岐
Ｅｍｕｌｓｏｇｅｎ（登録商標）ＬＣＮ１１８    １１個のＥＯ単位を有するＣ１１−アルキルエトキシラート    Ｃ１１−アルコール、分岐
Ｅｍｕｌｓｏｇｅｎ（登録商標）ＬＣＮ１５８    １５個のＥＯ単位を有するＣ１１−アルキルエトキシラート    Ｃ１１−アルコール、分岐
Ｅｍｕｌｓｏｇｅｎ（登録商標）ＬＣＮ２１７    ２１個のＥＯ単位を有するＣ１１−アルキルエトキシラート    Ｃ１１−アルコール、分岐
Ｅｍｕｌｓｏｇｅｎ（登録商標）ＬＣＮ２８７    ２８個のＥＯ単位を有するＣ１１−アルキルエトキシラート    Ｃ１１−アルコール、分岐
Ｅｍｕｌｓｏｇｅｎ（登録商標）ＬＣＮ４０７    ４０個のＥＯ単位を有するＣ１１−アルキルエトキシラート    Ｃ１１−アルコール、分岐
Ｅｍｕｌｓｏｇｅｎ（登録商標）ＬＣＮ５０６    ５０個のＥＯ単位を有するＣ１１−アルキルエトキシラート    Ｃ１１−アルコール、分岐
Ｇｅｎａｐｏｌ（登録商標）ＵＤ０３０    ３個のＥＯ単位を有するＣ１１−アルキルエトキシラート    Ｃ１１−アルコール、直鎖、分岐少々
Ｇｅｎａｐｏｌ（登録商標）ＵＤ０５０    ５個のＥＯ単位を有するＣ１１−アルキルエトキシラート    Ｃ１１−アルコール、直鎖、分岐少々
Ｇｅｎａｐｏｌ（登録商標）ＵＤ０７９    ７個のＥＯ単位を有するＣ１１−アルキルエトキシラート    Ｃ１１−アルコール、直鎖、分岐少々
Ｇｅｎａｐｏｌ（登録商標）ＵＤ０８０    ８個のＥＯ単位を有するＣ１１−アルキルエトキシラート    Ｃ１１−アルコール、直鎖、分岐少々
Ｇｅｎａｐｏｌ（登録商標）ＵＤ０８８    ８個のＥＯ単位を有するＣ１１−アルキルエトキシラート    Ｃ１１−アルコール、直鎖、分岐少々
Ｇｅｎａｐｏｌ（登録商標）ＵＤ１１０    １１個のＥＯ単位を有するＣ１１−アルキルエトキシラート    Ｃ１１−アルコール、直鎖、分岐少々
ｇ）    イソトリデシルエトキシラート、特に
Ｇｅｎａｐｏｌ（登録商標）Ｘ０２０    ２個のＥＯ単位を有するイソトリデシルエトキシラート    Ｃ１３−アルコール、分岐
Ｇｅｎａｐｏｌ（登録商標）Ｘ０５０    ５個のＥＯ単位を有するイソトリデシルエトキシラート    Ｃ１３−アルコール、分岐
Ｇｅｎａｐｏｌ（登録商標）Ｘ０６０    ６個のＥＯ単位を有するイソトリデシルエトキシラート    Ｃ１３−アルコール、分岐
Ｇｅｎａｐｏｌ（登録商標）Ｘ０６５    ６．５個のＥＯ単位を有するイソトリデシルエトキシラート    Ｃ１３−アルコール、分岐
Ｇｅｎａｐｏｌ（登録商標）Ｘ０８０    ８個のＥＯ単位を有するイソトリデシルエトキシラート    Ｃ１３−アルコール、分岐
Ｇｅｎａｐｏｌ（登録商標）Ｘ０８９    ８個のＥＯ単位を有するイソトリデシルエトキシラート    Ｃ１３−アルコール、分岐
Ｇｅｎａｐｏｌ（登録商標）Ｘ０９０    ９個のＥＯ単位を有するイソトリデシルエトキシラート    Ｃ１３−アルコール、分岐
Ｇｅｎａｐｏｌ（登録商標）Ｘ１００    １０個のＥＯ単位を有するイソトリデシルエトキシラート    Ｃ１３−アルコール、分岐
Ｇｅｎａｐｏｌ（登録商標）Ｘ１５０    １５個のＥＯ単位を有するイソトリデシルエトキシラート    Ｃ１３−アルコール、分岐
Ｇｅｎａｐｏｌ（登録商標）Ｘ１５８    １５個のＥＯ単位を有するイソトリデシルエトキシラート    Ｃ１３−アルコール、分岐
Ｇｅｎａｐｏｌ（登録商標）Ｘ３０７    ３０個のＥＯ単位を有するイソトリデシルエトキシラート    Ｃ１３−アルコール、分岐
Ｇｅｎａｐｏｌ（登録商標）Ｘ４０７    ４０個のＥＯ単位を有するイソトリデシルエトキシラート    Ｃ１３−アルコール、分岐
Ｇｅｎａｐｏｌ（登録商標）Ｘ１００３    １００個のＥＯ単位を有するイソトリデシルエトキシラート    Ｃ１３−アルコール、分岐
Ｇｅｎａｐｏｌ（登録商標）Ｘ１００５    １００個のＥＯ単位を有するイソトリデシルエトキシラート    Ｃ１３−アルコール、分岐
Ｇｅｎａｐｏｌ（登録商標）１８７９    １５個のＥＯ単位を有するイソトリデシルエトキシラート    Ｃ１３−アルコール、分岐
Ｇｅｎａｐｏｌ（登録商標）３２１４    ２５個のＥＯ単位を有するイソトリデシルエトキシラート    Ｃ１３−アルコール、分岐
ｈ）    イソデシルエトキシラート、特に
Ｇｅｎａｐｏｌ（登録商標）ＩＤ０３０    ３個のＥＯ単位を有するイソデシルエトキシラート    Ｃ１０−アルコール、分岐
Ｇｅｎａｐｏｌ（登録商標）ＩＤ０６０    ６個のＥＯ単位を有するイソデシルエトキシラート    Ｃ１０−アルコール、分岐
Ｇｅｎａｐｏｌ（登録商標）ＩＤ０７０    ７個のＥＯ単位を有するイソデシルエトキシラート    Ｃ１０−アルコール、分岐
Ｇｅｎａｐｏｌ（登録商標）ＥＰ１０２２    ２個のＥＯ単位と２個のＰＯ単位を有するイソデシルエトキシラート    Ｃ１０−アルコール、分岐
ｉ）    オキソアルコールエトキシラート、特に
Ｇｅｎａｐｏｌ（登録商標）ＯＸ０３０    ３個のＥＯ単位を有するＣ１２／１５−アルキルエトキシラート    Ｃ１２／１５−アルコール、分岐少々
Ｇｅｎａｐｏｌ（登録商標）ＯＸ０５０    ５個のＥＯ単位を有するＣ１２／１５−アルキルエトキシラート    Ｃ１２／１５−アルコール、分岐少々
Ｇｅｎａｐｏｌ（登録商標）ＯＸ０７０    ７個のＥＯ単位を有するＣ１２／１５−アルキルエトキシラート    Ｃ１２／１５−アルコール、分岐少々
Ｇｅｎａｐｏｌ（登録商標）ＯＸ０８０    ８個のＥＯ単位を有するＣ１２／１５−アルキルエトキシラート    Ｃ１２／１５−アルコール、分岐少々
Ｇｅｎａｐｏｌ（登録商標）ＯＸ１００    １０個のＥＯ単位を有するＣ１２／１５−アルキルエトキシラート    Ｃ１２／１５−アルコール、分岐少々
Ｇｅｎａｐｏｌ（登録商標）ＯＸ１０９    １０個のＥＯ単位を有するＣ１２／１５−アルキルエトキシラート    Ｃ１２／１５−アルコール、分岐少々
Ｇｅｎａｐｏｌ（登録商標）ＯＡ０３０    ３個のＥＯ単位を有するＣ１４／１５−オキソアルコール    Ｃ１４／１５−オキソアルコール
Ｇｅｎａｐｏｌ（登録商標）ＯＡ３０７０    ３個のＥＯ単位と７個のＰＯ単位を有するＣ１４／１５−オキソアルコール    Ｃ１４／１５−オキソアルコール
Ｇｅｎａｐｏｌ（登録商標）ＯＡ０４０    ４個のＥＯ単位を有するＣ１４／１５−オキソアルコール    Ｃ１４／１５−オキソアルコール
Ｇｅｎａｐｏｌ（登録商標）ＯＡ０５０    ５個のＥＯ単位を有するＣ１４／１５−オキソアルコール    Ｃ１４／１５−オキソアルコール
Ｇｅｎａｐｏｌ（登録商標）ＯＡ０７０    ７個のＥＯ単位を有するＣ１４／１５−オキソアルコール    Ｃ１４／１５−オキソアルコール
Ｇｅｎａｐｏｌ（登録商標）ＯＡ０８０    ８個のＥＯ単位を有するＣ１４／１５−オキソアルコール    Ｃ１４／１５−オキソアルコール
Ｈｏｓｔａｃｅｒｉｎ（登録商標）Ｔ３    ３個のＥＯ単位を有するセチルアルコール    Ｃ１６−アルコール、直鎖、飽和
Ｈｏｓｔａｃｅｒｉｎ（登録商標）ＣＳ２００    ２０個のＥＯ単位を有するセチルアルコール    Ｃ１６−アルコール、直鎖、飽和
Ｅｍｕｌｓｏｇｅｎ（登録商標）ＨＣＯ０４０    ＰＥＧ−４０ヒマシ油、水素添加    Ｃ１６／１８−ヒドロキシアルコール、直鎖、飽和
Ｅｍｕｌｓｏｇｅｎ（登録商標）ＨＣＯ０６０    ＰＥＧ−６０ヒマシ油、水素添加    Ｃ１６／１８−ヒドロキシアルコール、直鎖、飽和
および
ｊ）    アルコールアルコキシラート、ＥＯ／ＰＯ、特に
Ｇｅｎａｐｏｌ（登録商標）ＥＯ０２４４    ４個のＥＯ単位と４個のＰＯ単位を有するＣ１０／１２−アルコール    Ｃ１０／１２−アルコール
Ｇｅｎａｐｏｌ（登録商標）ＥＰ１１８２    ８個のＥＯ単位と２個のＰＯ単位を有するＣ１１−オキソアルコール    Ｃ１１−オキソアルコール
Ｇｅｎａｐｏｌ（登録商標）ＥＰ２４６４    ６個のＥＯ単位と４個のＰＯ単位を有するＣ１２／１４−アルコール    Ｃ１２／１４−アルコール
Ｇｅｎａｐｏｌ（登録商標）ＥＰ２５４４    ４個のＥＯ単位と４個のＰＯ単位を有するＣ１２／１５−オキソアルコール    Ｃ１２／１５−オキソアルコール
Ｇｅｎａｐｏｌ（登録商標）ＥＰ２５６４    ６個のＥＯ単位と４個のＰＯ単位を有するＣ１２／１５−オキソアルコール    Ｃ１２／１５−オキソアルコール
Ｇｅｎａｐｏｌ（登録商標）ＥＰ２５８４    ８個のＥＯ単位と４個のＰＯ単位を有するＣ１２／１５−オキソアルコール    Ｃ１２／１５−オキソアルコール
Ｇｅｎａｐｏｌ（登録商標）ＥＰ２５２５    ２個のＥＯ単位と５個のＰＯ単位を有するＣ１２／１５−オキソアルコール    Ｃ１２／１５−オキソアルコール
Ｇｅｎａｐｏｌ（登録商標）ＥＰ２５５２    ５個のＥＯ単位と２個のＰＯ単位を有するＣ１２／１５−オキソアルコール    Ｃ１２／１５−オキソアルコール
ならびに
８個のＥＯ単位を有するＣ１０〜Ｃ１８脂肪族アルコールポリグリコールエーテル、
２５個のＥＯ単位を有するＣ１６−Ｃ１８イソ脂肪族アルコールポリグリコールエーテル、
２５個のＥＯ単位を有するＣ１８〜Ｃ２２脂肪族アルコールポリグリコールエーテル、
３個のＥＯ単位を有するオクチルアルコールエーテル、
１０個のＥＯ単位と３個のＰＯ単位を有するオクチルアルコールエーテル、
１０個のＥＯ単位を有するベヘニルアルコールエーテル、
２０個のＥＯ単位を有するベヘニルアルコールエーテル、および
２５個のＥＯ単位を有するベヘニルアルコールエーテル。
【００２６】
好ましい、式（Ｉｂ）によるアルコールポリグリコールエーテルまたはアルコキシ化アルコールのアクリル酸エステルおよび／またはメタクリル酸エステルに係る上掲のリスト（サブグループａ）〜ｊ））では、左にアルコキシ化アルコールの商品名を示し、中央にアルコキシ化アルコールの化学名を示し、右にアルコールの種類を示す。これらの製品はＣｌａｒｉａｎｔ社の市販製品である。
【００２７】
本発明において、略記「ＥＯ」はエチレンオキシド−Ｃ２Ｈ４Ｏ−を意味し、「ＰＯ」は、プロピレンオキシド−Ｃ３Ｈ６Ｏ−を意味する。
【００２８】
本発明の特に好ましい一実施形態では、式（Ｉｂ）の化合物のうち、７個のＥＯ単位でエトキシ化されたラウリルメタクリラート、８個のＥＯ単位でエトキシ化されたタリルメタクリラート、２５個のＥＯ単位でエトキシ化されたタリルメタクリラート、２５個のＥＯ単位でエトキシ化されたベヘニルメタクリラートから選択されたものが好ましい。
【００２９】
本発明において、「タリル（Ｔａｌｙｌ）」という用語は、「牛脂アルキル（Ｔａｌｋａｌｋｙｌ）」という用語と同義で使用する。
【００３０】
本発明のさらなる好ましい一実施形態では、式（Ｉｃ）の化合物のうち、Ｒ２がアルキル残基であるものが好ましい。この化合物はα−オレフィンである。本発明の特に好ましい一実施形態では、この化合物中のＲ２は直鎖状アルキル残基である。
【００３１】
本発明のさらなる好ましい一実施形態では、式（Ｉｃ）の化合物のうち、１−ヘキセン、１−オクテン、１−デセン、１−ドデセン、１−テトラデセン、１−ヘキサデセン、１−オクタデセン、Ｃ２０α−オレフィン、Ｃ２２α−オレフィン、Ｃ２４α−オレフィン、Ｃ２６α−オレフィン、Ｃ２８α−オレフィン、Ｃ３０α−オレフィン、ならびにα−オレフィンの混合物、その中でも、好ましくは、Ｃ１４〜１６α−オレフィン、Ｃ２０〜２４α−オレフィン、Ｃ２４〜２８α−オレフィン、Ｃ２６〜２８α−オレフィン、および異性化α−オレフィン、その中でも、好ましくは、４−メチル−１−ペンテン、異性化Ｃ１６α−オレフィン、異性化Ｃ１８α−オレフィン、および異性化Ｃ１６〜１８α−オレフィン、例えば重量比Ｃ１６：Ｃ１８が６５：３５の異性化Ｃ１６〜１８α−オレフィンから選択されるものが好ましい。
【００３２】
本発明のさらなる好ましい一実施形態では、式（Ｉｃ）の化合物のうち、Ｃ１０〜Ｃ６０のα−オレフィンから選択される化合物、すなわち、これらの式（Ｉｃ）の化合物のＲ２がＣ８〜Ｃ５８の飽和アルキル残基であり、これらの式（Ｉｃ）の化合物に由来する構造単位が式−ＣＨ２ＣＨＲ２−であり、ここでＲ２がＣ８〜Ｃ５８の飽和アルキル残基を表す化合物が好ましい。
【００３３】
本発明の特に好ましい一実施形態では、式（Ｉｃ）の化合物のうち、Ｒ２がＣ１２〜Ｃ４０のアルキル残基を表すものが好ましい。本発明のここでさらに好ましい一実施形態では、式（Ｉｃ）の化合物のうち、さらにＲ２がＣ１２〜Ｃ３０のアルキル残基を表すものが好ましい。本発明のここでさらに好ましい一実施形態では、式（Ｉｃ）の化合物のうち、さらにＲ２がＣ２４またはＣ２６のアルキル残基、あるいはＣ２４およびＣ２６のアルキル残基の混合物を表すものが好ましい。本発明のここでさらに好ましいさらなる一実施形態では、式（Ｉｃ）の化合物のうち、さらにＲ２がＣ２８のアルキル残基を表すものが好ましい。
【００３４】
本発明の格別に好ましい一実施形態では、式（Ｉｃ）の化合物のうち、Ｃ２６α−オレフィン、Ｃ２８α−オレフィン、Ｃ２６〜２８α−オレフィン、およびＣ３０α−オレフィンから選択されるものが好ましい。
【００３５】
式（Ｉａ）の化合物は、ヘキシルアクリラート、ヘキシルメタクリラート、デシルアクリラート、デシルメタクリラート、ラウリルアクリラート、ラウリルメタクリラート、ヘキサデシルアクリラート、ヘキサデシルメタクリラート、ステアリルアクリラート、ステアリルメタクリラート、イソステアリルアクリラート、イソステアリルメタクリラート、オクチルドデシルアクリラート、オクチルドデシルメタクリラート、ベヘニルアクリラート、およびベヘニルメタクリラートから選択され、
式（Ｉｂ）の化合物は、７個のＥＯ単位を有するラウリルアルコールのアクリル酸エステル、７個のＥＯ単位を有するラウリルアルコールのメタクリル酸エステル、８個のＥＯ単位を有するタリルアルコールのアクリル酸エステル、８個のＥＯ単位を有するタリルアルコールのメタクリル酸エステル、２５個のＥＯ単位を有するタリルアルコールのアクリル酸エステル、２５個のＥＯ単位を有するタリルアルコールのメタクリル酸エステル、２５個のＥＯ単位を有するベヘニルアルコールのアクリル酸エステル、および２５個のＥＯ単位を有するベヘニルアルコールのメタクリル酸エステルから選択され、そして
式（Ｉｃ）の化合物は、Ｃ２６α−オレフィン、Ｃ２８α−オレフィン、Ｃ２６〜２８α−オレフィン、およびＣ３０α−オレフィンから選択されるのが格別に好ましい。
【００３６】
このうち、式（Ｉａ）の化合物は、ラウリルアクリラート、ラウリルメタクリラート、ヘキサデシルアクリラート、ステアリルアクリラート、イソステアリルアクリラート、オクチルドデシルアクリラートおよびベヘニルアクリラートから選択され、
式（Ｉｂ）の化合物は、７個のＥＯ単位を有するラウリルアルコールのメタクリル酸エステル、８個のＥＯ単位を有するタリルアルコールのメタクリル酸エステル、２５個のＥＯ単位を有するタリルアルコールのメタクリル酸エステル、および２５個のＥＯ単位を有するベヘニルアルコールのメタクリル酸エステルから選択され、そして
式（Ｉｃ）の化合物は、Ｃ２６α−オレフィン、Ｃ２８α−オレフィン、Ｃ２６〜２８α−オレフィン、およびＣ３０α−オレフィンから選択されるのがさらに好ましい。
【００３７】
本発明のさらなる好ましい一実施形態では、式（Ｉ）、または式（Ｉａ）、（Ｉｂ）、および（Ｉｃ）の化合物中のＲ２は、Ｃ６〜Ｃ２００、好ましくはＣ８〜Ｃ５８、特に好ましくはＣ１２〜Ｃ４０、極めて好ましくはＣ１２〜Ｃ３０の直鎖状または分岐状の飽和アルキル残基を意味する。本発明の特に好ましい一実施形態では、式（Ｉ）、（Ｉａ）、（Ｉｂ）、および（Ｉｃ）の化合物中のＲ２は、Ｃ６〜Ｃ２００、好ましくはＣ８〜Ｃ５８、特に好ましくはＣ１２〜Ｃ４０、極めて好ましくはＣ１２〜Ｃ３０の直鎖状飽和アルキル残基を意味する。
【００３８】
好ましくは、前記成分ｂ）の構造単位は、
ｂ１）  下記構造式（ＩＩ）の重合性第四級アンモニウム化合物
Ｘ−＋ＮＲ７Ｒ８Ｒ９Ｒ１０      （ＩＩ）
［ここで、
Ｘ−は、負に荷電した対イオンを意味し、
Ｒ７は、ビニル残基、アリル残基、または構造式（ＩＩＩ）
【００３９】
【化４】
2012522852.tif 000006
［ここで、
Ｒ１１は、水素またはメチルを意味し、
Ｚは、Ｏ、ＮＨ、ＮＣＨ３またはＳを意味し、
ｎは、１〜５０の整数を意味する］
の残基を意味し、
Ｒ８は、直鎖状または分岐状のＣ１〜Ｃ５０のアルキル残基、または残基Ｒ７を意味し、
Ｒ９は、直鎖状または分岐状のＣ１〜Ｃ５０のアルキル残基、または残基Ｒ７を意味し、
Ｒ１０は、直鎖状または分岐状のＣ１〜Ｃ５０のアルキル残基を意味する］
、および
ｂ２）  下記構造式（ＩＶ）の重合性環状第四級アンモニウム化合物
【００４０】
【化５】
2012522852.tif 000007
［ここで、
ｏおよびｐは、それぞれ互いに独立に０〜５の整数を意味し、
Ａは、Ｃ、ＣＨ、ＮまたはＰを意味し、
Ｘ−は、負に荷電した対イオンを意味する］
から選択される物質に由来する。
【００４１】
この場合、式（ＩＶ）の化合物において、ｏが０または偶数のとき、ＡはＣで、ｐは奇数である。
【００４２】
式（ＩＶ）の化合物において、ｏが奇数である場合、ｐは０、偶数、または奇数を取れる。ｐが０または偶数のとき、ＡはＣに等しい。しかし、ｐが奇数であるとき、ＡはＣＨ、Ｎ、またはＰを指すことができる。
【００４３】
式（ＩＶ）の化合物において、ｐが０に等しいか、偶数であるとき、ＡはＣに等しく、ｏは奇数である。
【００４４】
式（ＩＶ）の化合物において、ｐが奇数である場合、ｏは０、偶数または奇数を取れる。ｏが０または偶数である場合、ＡはＣに等しい。しかし、ｏが奇数であるとき、ＡはＣＨ、Ｎ、またはＰを指すことができる。
【００４５】
式（ＩＩ）および（ＩＶ）中の、好ましい負に荷電した対イオンＸ−は、塩化物、臭化物、ヨウ化物、１／２ＳＯ４２−、およびメトスルファートである。
【００４６】
本発明の特に好ましい一実施形態では、前記成分ｂ）の構造単位は、ジアリルジメチルアンモニウムクロリド（ＤＡＤＭＡＣ）、［２−（メタクリロイルオキシ）エチル］トリメチルアンモニウムクロリド（ＭＡＯＥＴＡＣ）、［２−（アクリロイルオキシ）エチル］トリメチルアンモニウムクロリド（ＡＯＥＴＡＣ）、［２−メタクリルアミドエチル］トリメチルアンモニウムクロリド、［２−（アクリルアミド）エチル］トリメチルアンモニウムクロリド、［３−メタクリルアミドプロピル］トリメチルアンモニウムクロリド（ＭＡＰＴＡＣ）、［３−アクリルアミドプロピル］トリメチルアンモニウムクロリド（ＡＰＴＡＣ）、Ｎ−メチル−２−ビニルピリジニウムクロリド、Ｎ−メチル−４−ビニルピリジニウムクロリド、およびＮ−メチル−３−ビニルイミダゾリニウムクロリドから選択される重合性第四級アンモニウム化合物に由来する。
【００４７】
本発明のさらなる特に好ましい一実施形態では、前記成分ｂ）の構造単位は上述の構造式（ＩＩ）の重合性第四級アンモニウム化合物に由来する。これらの成分ｂ）の構造単位のうち、さらに好ましいのは下記構造式（ＩＩ）の重合性第四級アンモニウム化合物に由来するものである。
Ｘ−＋ＮＲ７Ｒ８Ｒ９Ｒ１０      （ＩＩ）
［ここで、
Ｘ−は、負に荷電した対イオンを意味し、
Ｒ７は、ビニル残基、アリル残基、または構造式（ＩＩＩ）
【００４８】
【化６】
2012522852.tif 000008
［ここで、
Ｒ１１は、水素またはメチルを意味し、
Ｚは、Ｏ、ＮＨ、ＮＣＨ３またはＳを意味し、
ｎは、１〜５０の整数を意味する］
の残基を意味し、
Ｒ８は、直鎖状または分岐状のＣ２〜Ｃ５０、好ましくはＣ２〜Ｃ２５、特に好ましくはＣ４〜Ｃ８のアルキル残基、または残基Ｒ７を意味し、
Ｒ９は、直鎖状または分岐状のＣ１〜Ｃ５０、好ましくはＣ２〜Ｃ２５、特に好ましくはＣ４〜Ｃ８のアルキル残基、または残基Ｒ７を意味し、
Ｒ１０は、直鎖状または分岐状のＣ１〜Ｃ５０、好ましくはＣ２〜Ｃ２５、特に好ましくはＣ４〜Ｃ８のアルキル残基を意味する］
【００４９】
本発明の極めて好ましい一実施形態では、前記成分ｂ）の構造単位は、ジアリルジメチルアンモニウムクロリド（ＤＡＤＭＡＣ）、［２−（メタクリロイルオキシ）エチル］トリメチルアンモニウムクロリド（ＭＡＯＥＴＡＣ）、［２−（アクリロイルオキシ）エチル］トリメチルアンモニウムクロリド（ＡＯＥＴＡＣ）、［２−メタクリルアミドエチル］トリメチル−アンモニウムクロリド、［２−（アクリルアミド）エチル］トリメチルアンモニウムクロリド、［３−メタクリルアミドプロピル］トリメチルアンモニウムクロリド（ＭＡＰＴＡＣ）、および［３−アクリルアミドプロピル］トリメチルアンモニウムクロリド（ＡＰＴＡＣ）から選択される重合性第四級アンモニウム化合物に由来する。
【００５０】
本発明の格別に好ましい一実施形態では、本発明によるポリマーは、２−（アクリロイルオキシ）エチル］トリメチルアンモニウムクロリドに由来する成分ｂ）の構造単位を含む。これらのポリマーは、［３−メタクリルアミドプロピル］トリメチルアンモニウムクロリドに由来する構造単位を含有する類似のポリマーに比べて、油性ゲルでの清澄性（Ｋｌａｒｈｅｉｔ）や透明性の点で好ましい。
【００５１】
本発明のさらなる好ましい一実施形態では、本発明によるコポリマーの製造のために、１つを超える重合性基を有し、架橋を行うことのできるモノマー（架橋剤）から選択される物質の使用量は、重合時の重合対象のモノマーの全質量に対して０〜２０．０重量％、好ましくは０〜１０．０重量％、また特に好ましくは０〜５．０重量％である。
【００５２】
ここで、「重合性基」とは、重合性の二重結合を意味する。
【００５３】
本発明のさらなる好ましい一実施形態では、本発明によるコポリマーは、１つを超える重合性基を有し架橋を行うことのできるモノマーから選択される物質に由来する成分ｃ）の１種または複数種の構造単位を、本発明によるコポリマーの全質量に対して０〜２０．０重量％、好ましくは０〜１０．０重量％、また特に好ましくは０〜５．０重量％で含む。
【００５４】
本発明の特に好ましい一実施形態では、本発明によるコポリマーは、１つを超える重合性基を有し架橋を行うことのできるモノマーから選択される物質に由来する成分ｃ）の構造単位を含有しない。
【００５５】
本発明のさらなる特に好ましい一実施形態では、本発明によるコポリマーは、１つを超える重合性基を有し架橋を行うことのできるモノマーから選択される物質に由来する成分ｃ）の１種または複数種の構造単位を含有する。
【００５６】
好ましくは成分ｃ）の架橋性構造単位は、ジビニルベンゼン、メチレンビスアクリルアミド（ＭＢＡ）、トリアリルアミン、トリアリルシアヌラート、エタンジオールジアクリラート、エタンジオールジメタクリラート（ＥＤＤＭＡ）、ブタンジオールジアクリラート、ブタンジオールジメタクリラート（ＢＤＤＭＡ）、ヘキサンジオールジアクリラート、ヘキサンジオールジメタクリラート（ＨＤＤＭＡ）、ドデカンジオールジアクリラート、ドデカンジオールジメタクリラート（ＤＤＤＭＡ）、トリメチロールプロパントリアクリラート（ＴＭＰＴＡ）、トリメチロールプロパントリメタクリラート（ＴＭＰＴＭＡ）、グリセリンジアクリラート、グリセリンジメタクリラート、テトラエチレングリコールジアクリラート、テトラエチレングリコールジメタクリラート、モル質量４００〜８００ｇ／ｍｏｌのポリエチレングリコールジアクリラート、モル質量４００〜８００ｇ／ｍｏｌのポリエチレングリコールジメタクリラート、アクリル酸−、メタクリル酸−、またはエタクリル酸アリルエステル、好ましくはアクリル−またはメタクリル酸アリルエステル、および特に好ましくはメタクリル酸アリルエステル（ＡＭＡ）、ジプロピレングリコールジアリルエーテル、ポリグリコールジアリルエーテル、ヒドロキノンジアリルエーテル、トリメチロールプロパンジアリルエーテル、トリメチロールプロパントリアリルエーテル、テトラアリルオキシエタン、トリエチレングリコールジビニルエーテル、およびその他の多官能性アルコールのアリル−またはビニルエーテル、ならびに上掲の物質の混合物、例えばヘキサンジオールジメタクリラートおよびトリメチロールプロパントリメタクリラートの混合物から選択される物質に由来する。
【００５７】
その中でさらに、成分ｃ）の架橋性構造単位として、メチレンビスアクリルアミド（ＭＢＡ）、トリアリルアミン、トリアリルシアヌラート、エタンジオールジメタクリラート（ＥＤＤＭＡ）、ブタンジオールジメタクリラート（ＢＤＤＭＡ）、ヘキサンジオールジメタクリラート（ＨＤＤＭＡ）、ドデカンジオールジメタクリラート（ＤＤＤＭＡ）、トリメチロールプロパントリアクリラート（ＴＭＰＴＡ）、トリメチロールプロパントリメタクリラート（ＴＭＰＴＭＡ）、グリセリンジアクリラート、モル質量４００〜８００ｇ／ｍｏｌのポリエチレングリコールジアクリラート、メタクリル酸アリルエステル（ＡＭＡ）、ならびに上掲物質混合物、例えばヘキサンジオールジメタクリラート、およびトリメチロールプロパントリメタクリラートの混合物から選択される物質に由来するものが好ましい。
【００５８】
ヘキサンジオールジメタクリラート、トリメチロールプロパントリアクリラート、およびこれら物質の混合物に由来する、成分ｃ）の架橋性構造単位が特に好ましい。
【００５９】
本発明の特に好ましい一実施形態では、本発明によるコポリマーの製造における前記架橋剤の使用量は、重合時の重合対象のモノマーの全質量に対して０．１〜２０．０重量％、好ましくは０．５〜１０．０重量％、また特に好ましくは１．０〜５．０重量％である。
【００６０】
本発明によるコポリマーが、１つを超える重合性基を有し架橋を行うことのできるモノマーから選択される物質に由来する成分ｃ）の１種または複数種の構造単位を含有する限り、コポリマーは、本発明のさらなる特に好ましい一実施形態では、これらの構造単位を、本発明によるコポリマーの全質量に対して０．１〜２０．０重量％、好ましくは０．５〜１０．０重量％、また特に好ましくは１．０〜５．０重量％含有する。
【００６１】
本発明のさらなる好ましい一実施形態では、前記コポリマーは、Ｃ１〜Ｃ５であり、場合によっては１〜２５個のアルキレンオキシド単位、例えばエチレンオキシド単位、プロピレンオキシド単位、またはエチレンオキシド単位とプロピレンオキシド単位の混合でアルコキシ化されていることがあるアルキルアルコールのアクリル酸エステルまたはメタクリル酸エステル（これらの化合物のうち、ブチルアクリラートが好ましい）、ヒドロキシエチルメタクリラート（ＨＥＭＡ）、ポリエチレングリコール、ポリプロピレングリコール、およびポリエチレンポリプロピレングリコールの（メタ）アクリル酸エステル、Ｎ−ビニルピロリドン、ならびにエテン、プロペン、１−ブテン、および１−ペンテンから選択される物質に由来する成分ｃ）の１つまたは複数の構造単位を含有する。上記の化合物のうち、ブチルアクリラートが好ましい。本発明によるコポリマーが、上に述べた構造単位の１種または複数種を含む限り、本発明によるコポリマー中でのこれらの含量は、コポリマーの全質量に対して、好ましくは０．１〜１０．０重量％である。
【００６２】
本発明によるコポリマーは、例えば「グラフトする」こともできる。すなわち、支持体に固定することができる。この支持体ポリマーの製造法は公知である。支持体を使用する限り、この支持体の量は、支持されるコポリマーの質量に対して、好ましくは０．１〜１０．０重量％、また特に好ましくは２．０〜６．０重量％である。支持体を使用する限り、これには、ポリビニルピロリドン、ポリエチレングリコール、ポリプロピレングリコール、またはポリエチレン／ポリプロピレングリコールが好ましく、特にポリビニルピロリドンが好ましい。
【００６３】
本発明によるコポリマーにおいて、前記成分ａ）の構造単位の量が６０．０〜９９．５重量％、前記成分ｂ）の構造単位の量が０．５〜２０．０重量％、および前記成分ｃ）の構造単位の量が０〜２０．０重量％であるのが好ましい。
【００６４】
本発明によるコポリマーにおいて、前記成分ａ）の構造単位の量が７５．０〜９８．５重量％、前記成分ｂ）の構造単位の量が０．６〜１２．５重量％、および前記成分ｃ）の構造単位の量が０〜１２．５重量％であるのが特に好ましい。
【００６５】
本発明によるコポリマーにおいて、前記成分ａ）の構造単位の量が８０．０〜９８．０重量％、前記成分ｂ）の構造単位の量が０．７〜１１．０重量％、および前記成分ｃ）の構造単位の量が０〜１１．０重量％であるのが極めて好ましい。
【００６６】
本発明によるコポリマーの成分ａ）における、式（Ｉａ）、（Ｉｂ）および（Ｉｃ）の化合物に由来する構造単位の比は、好ましくは、式（Ｉａ）の化合物に由来する構造単位が５０．０〜１００．０重量％、式（Ｉｂ）の化合物に由来する構造単位が０〜４０．０量％、式（Ｉｃ）の化合物に由来する構造単位が０〜２０．０重量％である。本発明によるコポリマー中の、式（Ｉａ）の化合物に由来する構造単位：式（Ｉｂ）の化合物に由来する構造単位：式（Ｉｃ）の化合物に由来する構造単位の重量比は、好ましくは１．０：０〜０．８：０〜０．４である。
【００６７】
本発明のさらなる好ましい一実施形態では、本発明によるコポリマーは、アニオン性の重合性物質に由来する構造単位を含まない。
【００６８】
本発明のさらなる好ましい一実施形態では、本発明によるコポリマーは、成分ａ）およびｂ）で挙げた構造単位からなる。
【００６９】
本発明のさらなる好ましい一実施形態では、本発明によるコポリマーは、成分ａ）、ｂ）、およびｃ）で挙げた構造単位からなる。これらのコポリマーのうち、成分ｃ）の構造単位が架橋性の構造単位から選択されたものがさらに好ましい。
【００７０】
本発明の特に好ましい一実施形態では、本発明によるコポリマーは、好ましくはステアリルアクリラートおよびラウリルメタクリラートから選択される、成分ａ）による式（Ｉａ）の化合物に由来する１つまたは複数の構造単位を９５．０〜９９．０重量％と、好ましくは［２−（アクリロイルオキシ）エチル］トリメチルアンモニウムクロリド（ＡＯＥＴＡＣ）である、成分ｂ）の化合物に由来する１つまたは複数の構造単位を０．１〜５．０重量％含有する（以下「コポリマーＡ」）。
【００７１】
前記コポリマーＡのうち、ステアリルアクリラートに由来する構造単位９７．０重量％と、［２−（アクリロイルオキシ）エチル］トリメチルアンモニウムクロリド（ＡＯＥＴＡＣ）に由来する構造単位３．０重量％とからなるコポリマーが好ましい（例えば、コポリマー番号１、２７３、および２７８）。
【００７２】
前記コポリマーＡのうち、さらに、ステアリルアクリラートに由来する構造単位８２．０重量％と、ラウリルメタクリラートに由来する構造単位１５．０重量％と、［２−（アクリロイルオキシ）−エチル］トリメチルアンモニウムクロリド（ＡＯＥＴＡＣ）に由来する構造単位３．０重量％とからなるコポリマーが好ましい（例えば、コポリマー番号２７７）。
【００７３】
本発明の別の特に好ましい一実施形態において、本発明によるコポリマーは、好ましくはステアリルアクリラート、イソステアリルアクリラート、２５個のＥＯ単位でエトキシ化されたベヘニルメタクリラート（Ｂ２５０ＭＡ）、およびＣ２６〜Ｃ２８α−オレフィンから選択される、成分ａ）による式（Ｉ）の化合物に由来する１つまたは複数の構造単位を９０．０〜９８．０重量％、好ましくは［２−（アクリロイルオキシ）−エチル］トリメチルアンモニウムクロリド（ＡＯＥＴＡＣ）および［３−メタクリルアミドプロピル］トリメチルアンモニウムクロリド（ＭＡＰＴＡＣ）から選択される成分ｂ）の化合物に由来する１つまたは複数の構造単位を１．５〜５．０重量％、および好ましくは架橋剤から選択される、特に好ましくはヘキサンジオールジメタクリラート（ＨＤＤＭＡ）およびトリメチロールプロパントリアクリラート（ＴＭＰＴＡ）から選択される成分ｃ）の化合物に由来する１つまたは複数の構造単位を０．５〜６．０重量％含有する（以下「コポリマーＢ」）。
【００７４】
コポリマーＢのうち、成分ａ）に相応する式（Ｉ）の化合物に由来する構造単位として、式（Ｉａ）および（Ｉｂ）の化合物に由来する構造単位を含有するものが好ましく、これはさらに、（式（Ｉａ）の１種以上の化合物に由来する構造単位）：（式（Ｉｂ）の１種以上の化合物に由来する構造単位）の重量比が（１．０）：（０．１〜１．０）であるものが好ましい（以下「コポリマーＢ１」）。
【００７５】
コポリマーＢ１のうち、５６．４重量％のステアリルアクリラートに由来する構造単位、３９．６重量％の２５個のＥＯ単位でエトキシ化されたベヘニルメタクリラート（Ｂ２５０ＭＡ）に由来する構造単位、３．０重量％の［２−（アクリロイルオキシ）−エチル］トリメチルアンモニウムクロリド（ＡＯＥＴＡＣ）に由来する構造単位、および１．０重量％のヘキサンジオールジメタクリラート（ＨＤＤＭＡ）に由来する構造単位からなるコポリマーが好ましい（例えば、コポリマー番号３０）。
【００７６】
コポリマーＢ１のうち、さらに、７４．６重量％のステアリルアクリラートに由来する構造単位、９．５重量％のイソステアリルアクリラートに由来する構造単位、８．６重量％の２５個のＥＯ単位でエトキシ化されたベヘニルメタクリラート（Ｂ２５０ＭＡ）に由来する構造単位、２．５重量％の［２−（アクリロイルオキシ）−エチル］トリメチルアンモニウムクロリド（ＡＯＥＴＡＣ）に由来する構造単位、および４．８重量％のヘキサンジオールジメタクリラート（ＨＤＤＭＡ）に由来する構造単位からなるコポリマーが好ましい（例えば、コポリマー番号４０）。
【００７７】
コポリマーＢのうち、さらに、式（Ｉａ）、（Ｉｂ）、および（Ｉｃ）の化合物に由来する構造単位を含有するものが好ましく、これはさらに、（式（Ｉａ）の１種以上の化合物に由来する構造単位）：（式（Ｉｂ）の１種以上の化合物に由来する構造単位）：（式（Ｉｃ）の１種以上の化合物に由来する構造単位）の重量比が（１０．０〜２０．０）：（１．０〜３．０）：（１．０）であるものが好ましい（以下「コポリマーＢ２」）。
【００７８】
コポリマーＢ２のうち、７８．２重量％のステアリルアクリラートに由来する構造単位、９．０重量％の２５個のＥＯ単位でエトキシ化されたベヘニルメタクリラート（Ｂ２５０ＭＡ）に由来する構造単位、４．７重量％のＣ２６〜Ｃ２８α−オレフィンに由来する構造単位、３．６重量％の［２−（アクリロイルオキシ）−エチル］トリメチルアンモニウムクロリド（ＡＯＥＴＡＣ）と［３−メタクリルアミドプロピル］トリメチルアンモニウムクロリド（ＭＡＰＴＡＣ）の混合物に由来する構造単位、および４．７重量％のヘキサンジオールジメタクリラート（ＨＤＤＭＡ）とトリメチロールプロパントリアクリラート（ＴＭＰＴＡ）の混合物に由来する構造単位からなるコポリマーが好ましい（例えば、コポリマー番号１１１）。
【００７９】
コポリマーＢ２のうち、さらに、７８．２重量％のステアリルアクリラートに由来する構造単位、９．０重量％の２５個のＥＯ単位でエトキシ化されたベヘニルメタクリラート（Ｂ２５０ＭＡ）に由来する構造単位、４．７重量％のＣ２６〜Ｃ２８α−オレフィンに由来する構造単位、３．６重量％の［２−（アクリロイルオキシ）−エチル］トリメチルアンモニウムクロリド（ＡＯＥＴＡＣ）に由来する構造単位、および４．７重量％のヘキサンジオールジメタクリラート（ＨＤＤＭＡ）とトリメチロールプロパントリアクリラート（ＴＭＰＴＡ）の混合物に由来する構造単位からなるコポリマーが好ましい（例えば、コポリマー番号６０）。
【００８０】
コポリマーＢのうち、さらに、式（Ｉａ）、（Ｉｂ）、および（Ｉｃ）の化合物に由来する構造単位を含有するものが好ましく、これはさらに、（式（Ｉａ）の１種以上の化合物に由来する構造単位）：（式（Ｉｂ）の１種以上の化合物に由来する構造単位）：（式（Ｉｃ）の１種以上の化合物に由来する構造単位）の重量比が（５０．０〜６０．０）：（５．０〜７．０）：（１．０）であるものが好ましい（以下「コポリマーＢ３」）。
【００８１】
コポリマーＢ３のうち、８４．１重量％のステアリルアクリラートに由来する構造単位、９．４重量％の２５個のＥＯ単位でエトキシ化されたベヘニルメタクリラート（Ｂ２５０ＭＡ）に由来する構造単位、１．６重量％のＣ２６〜Ｃ２８α−オレフィンに由来する構造単位、１．６重量％の［２−（アクリロイルオキシ）−エチル］トリメチルアンモニウムクロリド（ＡＯＥＴＡＣ）に由来する構造単位、および３．３重量％のトリメチロールプロパントリアクリラート（ＴＭＰＴＡ）に由来する構造単位からなるコポリマーが好ましい（例えば、コポリマー番号５２）。
【００８２】
本発明によるコポリマー中での様々な構造単位の分布は、統計的、ブロック形、交互形、あるいは勾配形でよい。
【００８３】
本発明によるコポリマーの分子量は、好ましくは１０３〜１０９ｇ／ｍｏｌ、特に好ましくは１０４〜１０７ｇ／ｍｏｌ、また極めて好ましくは５ｘ１０５〜５ｘ１０６ｇ／ｍｏｌである。
【００８４】
本発明によるコポリマーの製造は、成分ａ）、ｂ）、および場合によりｃ）の繰り返し構造単位、ならびに場合によりさらなる構造単位をもたらす重合性物質のラジカル重合反応によって行われる。
【００８５】
本発明のさらなる対象は、モノマーをラジカル重合反応で重合させることを特徴とする、本発明によるコポリマーの製造方法である。
【００８６】
重合媒体としては、ラジカル重合反応に対してほぼ不活性であり、高分子量の生成を可能にするものであればいかなる溶媒も用いられる。好ましくは有機溶媒、特に低級第三級アルコールまたはＣ３〜Ｃ３０炭化水素が用いられる。特に好ましい一実施形態では、ｔｅｒｔ．−ブタノールまたはトルエンが反応媒体として使用される。当然、上述の可能な溶媒の代表的なもの２種またはそれ以上の混合物も本発明に適合する。互いに溶け合わない溶媒のエマルジョンも含まれる（例えば、水／炭化水素）。基本的には、本発明によるポリマー構造を生成する全ての種類の反応プロセスが適している（溶液重合、エマルジョン法、沈殿法、高圧法、懸濁法、バルク重合、ゲル重合等）。
【００８７】
重合反応は、好ましくは０℃〜１５０℃の間の温度範囲、特に好ましくは１０℃〜１１０℃で、常圧でも、加圧下もしくは減圧下でも行われる。場合により、重合を保護ガス雰囲気中、好ましくは窒素またはアルゴン中で実施することもできる。
【００８８】
重合の開始には、高エネルギー電磁線照射、機械的エネルギー、または一般に用いられる化学重合開始剤、例えば、過酸化ベンゾイル、ｔｅｒｔ．−ブチルヒドロペルオキシド、メチルエチルケトンペルオキシド、クメンヒドロペルオキシド、ジラウロイルペルオキシドといった有機過酸化物、アゾジイソブチロニトリル（ＡＩＢＮ）、アゾメチルブチロニトリル（ＡＭＢＮ）またはジメチル−２，２’−アゾビス（２−メチルプロピオナート）といったアゾ開始剤を使用できる。
【００８９】
本発明によるコポリマーの製造に際して、本発明によるコポリマーの重合または鎖長を制御する物質、例えばメタリルスルホン酸塩、イソプロパノール、またはドデシルメルカプタンといった物質も使用できる。そうした物質の重合反応での使用は公知である。重合反応への開始剤の使用も同様に公知である。
【００９０】
本発明によるコポリマーの製造に際して、非常に活性の鎖末端を可逆的に不活性化することでラジカル重合を制御する物質も使用できる。制御したラジカル重合を使用する限り、好ましくは第二級アルキルハロゲン化物と銅（Ｉ）錯体を組み合わせた有機ハロゲン化物／遷移金属錯化合物を用いてＡＴＲＰ（原子移動ラジカル重合）として、あるいは直鎖状または環状窒素酸化物を使用して好ましくはいわゆるＴＥＭＰＯ法として実施するのが好ましい。
【００９１】
本発明による方法の好ましい一実施形態は、ラジカル重合が、有機溶媒中、好ましくはｔｅｒｔ．−ブタノールまたはトルエン中、特に好ましくはｔｅｒｔ．−ブタノール中で行われることを特徴とする。
【００９２】
本発明による方法のさらなる好ましい一実施形態は、本発明によるコポリマーの単離を、溶媒の蒸留除去と、それに続く真空乾燥とで実施することを特徴とする。
【００９３】
本発明のさらなる好ましい一実施形態は、本発明によるコポリマーの単離を、非溶媒、すなわち本発明によるコポリマーが溶解しない溶媒、好ましくは水中での沈殿と、それに続くろ過および真空乾燥とで実施することを特徴とする。
【００９４】
上記のコポリマーは、無臭であり、白〜ベージュであり、優れた加工特性を有する。また、肌にやさしく、全ての一般によく用いられる化粧用調合物成分と適合性が良く、したがって化粧用、皮膚用、および医薬用調合物の製造に適している。
【００９５】
したがって、本発明のさらなる対象は、１種または複数種の本発明によるコポリマーを含むことを特徴とする化粧用、医薬用、または皮膚用調合物、好ましくは化粧用調合物である。
【００９６】
本発明の好ましい一実施形態では、本発明による化粧用調合物は、スキン・クレンジング剤、スキン・ケア製品、または毛髪トリートメント剤である。
【００９７】
本発明によるコポリマーは、優れた油結合能力を有するという特徴があり、油系の調合物の増粘に極めて適している。
【００９８】
したがって、本発明のさらなる対象は、油を増粘する目的での１種または複数種の本発明によるコポリマーの使用である。この油は、好ましくは化粧用油、すなわち化粧用調合物に使用できる油である。
【００９９】
前記油は、有利には、トリグリセリド、天然および合成脂肪体、好ましくは脂肪酸とＣ数の少ないアルコール、例えばメタノール、イソプロパノール、プロピレングリコールまたはグリセリンとのエステル、または脂肪族アルコールとＣ数の少ないアルカン酸または脂肪酸とのエステルからなる群から、あるいは安息香酸アルキル、ならびに天然または合成炭化水素油からなる群から選択することができる。
【０１００】
直鎖状または分岐状であり、飽和または不飽和であり、場合によりヒドロキシル化されたＣ８〜３０脂肪酸のトリグリセリド、特に植物油、例えばヒマワリ油、トウモロコシ油、大豆油、米ぬか油、ホホバ油、ババス（Ｂａｂｕｓｓｃｕ−）油、カボチャ種油、ブドウ種油、ゴマ油、クルミ油、アンズ油、オレンジ油、コムギ胚油、モモ核油、マカダミア油、アボカド油、アーモンド油、タネツケバナ油、ヒマシ油、オリーブ油、ピーナツ油、菜種油およびココナッツ油、ならびに合成トリグリセリド油、例えば市販品Ｍｙｒｉｔｏｌ（登録商標）３１８および市販品Ｖｅｌｓａｎ（登録商標）ＣＣＴ（カプリル−カプリン酸−トリグリセリド、Ｃｌａｒｉａｎｔ社）が考えられる。本発明によれば、硬化トリグリセリドも好ましい。また、動物由来の油、例えば牛脂、ペルヒドロスクアレン、ラノリンも使用できる。
【０１０１】
好ましい油体のさらなる部類は、直鎖状または分岐状のＣ８〜２２アルカノールの安息香酸エステル、例えば市販品Ｆｉｎｓｏｌｖ（登録商標）ＳＢ（安息香酸イソステアリル）、Ｆｉｎｓｏｌｖ（登録商標）ＴＮ（Ｃ１２〜Ｃ１５アルキルベンゾアート）、およびＦｉｎｓｏｌｖ（登録商標）ＥＢ（安息香酸エチルヘキシル）である。
【０１０２】
好ましい油体のさらなる部類には、全体でＣ１２〜Ｃ３６、特にＣ１２〜Ｃ２４のジアルキルエーテル、例えば、ジ−ｎ−オクチルエーテル（Ｃｅｔｉｏｌ（登録商標）ＯＥ）、ジ−ｎ−ノニルエーテル、ジ−ｎ−デシルエーテル、ジ−ｎ−ウンデシルエーテル、ジ−ｎ−ドデシルエーテル、ｎ−ヘキシル−ｎ−オクチルエーテル、ｎ−オクチル−ｎ−デシルエーテル、ｎ−デシル−ｎ−ウンデシルエーテル、ｎ−ウンデシル−ｎ−ドデシルエーテル、およびｎ−ヘキシル−ｎ−ウンデシルエーテル、ジ−３−エチルデシルエーテル、ｔｅｒｔ．−ブチル−ｎ−オクチルエーテル、イソペンチル−ｎ−オクチルエーテル、および２−メチルペンチル−ｎ−オクチルエーテル、ならびにジ−ｔｅｒｔ．−ブチルエーテルおよびジイソ−ペンチルエーテルがある。
【０１０３】
さらに、分岐状の飽和または不飽和Ｃ６〜Ｃ３０脂肪族アルコール、例えば、イソステアリルアルコール、ならびにガーベットアルコール（Ｇｕｅｒｂｅｔａｌｋｏｈｏｌｅ）も考えられる。
【０１０４】
好ましい油体のさらなる部類には、ヒドロキシカルボン酸アルキルエステルがある。好ましいヒドロキシカルボン酸アルキルエステルは、グリコール酸、乳酸、リンゴ酸、酒石酸、またはクエン酸の全エステル（Ｖｏｌｌｅｓｔｅｒ）である。さらなる基本的に適したヒドロキシカルボン酸のエステルには、β−ヒドロキシプロピオン酸、タルトロン酸、Ｄ−グルコン酸、糖酸、粘液酸、またはグルクロン酸のエステルがある。これらのエステルのアルコール成分としては、Ｃ８〜Ｃ２２の第一級の直鎖状または分岐の脂肪族アルコールが適している。ここで、Ｃ１２〜Ｃ１５脂肪族アルコールのエステルが特に好ましい。このタイプのエステルは、例えばＥｎｉＣｈｅｍ，  Ａｕｇｕｓｔａ  Ｉｎｄｕｓｔｒｉａｌｅ社から商品名Ｃｏｓｍａｃｏｌ（登録商標）で市販されている。
【０１０５】
好ましい油体のさらなる部類には、直鎖状または分岐状のＣ２〜Ｃ１０アルカノールのジカルボン酸エステル、例えばアジピン酸ジ−ｎ−ブチル（Ｃｅｔｉｏｌ（登録商標）Ｂ）、アジピン酸ジ−（２−エチルヘキシル）、およびコハク酸ジ−（２−エチルヘキシル）；ならびにジオールエステル、例えばエチレングリコール−ジオレアート、エチレングリコール−ジ−イソトリデカノアート、プロピレングリコール−ジ（２−エチルヘキサノアート）、プロピレングリコール−ジ−イソステアラート、プロピレングリコール−ジ−ペラルゴナート、ブタンジオール−ジ−イソステアラート、およびネオペンチルグリコールジカプリラートならびにジ−イソトリデシルアセラートがある。
【０１０６】
同様に、炭酸と脂肪族アルコールの対称、非対称、または環状エステル、グリセリンカーボナート、またはジカプリリルカーボナート（Ｃｅｔｉｏｌ（登録商標）ＣＣ）も好ましい油体である。
【０１０７】
好ましい油体のさらなる部類には、不飽和Ｃ１２〜Ｃ２２脂肪酸の二量体（二量化脂肪酸）と、１価の直鎖状、分岐状、または環状Ｃ２〜Ｃ１８アルカノール、または多価直鎖状または分岐状Ｃ２〜Ｃ６アルカノールとのエステルがある。
【０１０８】
好ましい油体のさらなる部類には、炭化水素油、例えば、直鎖状または分岐状であり飽和または不飽和のＣ７〜Ｃ４０炭素鎖を有するもの、例を挙げれば、ワセリン、ドデカン、イソドデカン、コレステロール、ラノリン、合成炭化水素、例えばポリオレフィン、特にポリイソブテン、水素化ポリイソブテン、ポリデカン、ならびにヘキサデカン、イソヘキサデカン、パラフィン油、イソパラフィン油、例えば市販品のＰｅｒｍｅｔｈｙｌ（登録商標）シリーズ、スクアラン、スクアレン、および脂環式炭化水素、例えば市販品１，３−ジ（２−エチル−ヘキシル）シクロヘキサン（Ｃｅｔｉｏｌ（登録商標）Ｓ）、オゾケライト、およびセレシンがある。
【０１０９】
同様に、シリコーン油もしくはシリコーンワックス、好ましくはジメチルポリシロキサン、およびシクロメチコン、ポリジアルキルシロキサンＲ３ＳｉＯ（Ｒ２ＳｉＯ）ｘＳｉＲ３（ここで、Ｒはメチルまたはエチル、特に好ましくはメチルを表し、また、ｘは２〜５００の数を表す）、例えば商品名ＶＩＣＡＳＩＬ（Ｇｅｎｅｒａｌ  Ｅｌｅｃｔｒｉｃ  Ｃｏｍｐａｎｙ）、ＤＯＷ  ＣＯＲＮＩＮＧ  ２００、ＤＯＷ  ＣＯＲＮＩＮＧ  ２２５、ＤＯＷ  ＣＯＲＮＩＮＧ  ２００（Ｄｏｗ  Ｃｏｒｎｉｎｇ  Ｃｏｒｐｏｒａｔｉｏｎ）として入手可能なジメチコン、ならびにＳｉｌＣａｒｅ（登録商標）Ｓｉｌｉｃｏｎｅ  ４１Ｍ６５、ＳｉｌＣａｒｅ（登録商標）Ｓｉｌｉｃｏｎｅ  ４１Ｍ７０、ＳｉｌＣａｒｅ（登録商標）Ｓｉｌｉｃｏｎｅ  ４１Ｍ８０（Ｃｌａｒｉａｎｔ社）として入手可能なジメチコン、ステアリルジメチルポリシロキサン、Ｃ２０〜Ｃ２４アルキル−ジメチルポリシロキサン、Ｃ２４〜Ｃ２８アルキル−ジメチルポリシロキサン、またさらに商品名ＳｉｌＣａｒｅ（登録商標）Ｓｉｌｉｃｏｎｅ  ４１Ｍ４０、ＳｉｌＣａｒｅ（登録商標）Ｓｉｌｉｃｏｎｅ  ４１Ｍ５０（Ｃｌａｒｉａｎｔ社）として入手可能なメチコン、さらにトリメチルシロキシシリカート［（ＣＨ２）３ＳｉＯ）１／２］ｘ［ＳｉＯ２］ｙ（ここで、ｘは１〜５００の数を表し、またｙは１〜５００の数を表す）、ジメチコノールＲ３ＳｉＯ［Ｒ２ＳｉＯ］ｘＳｉＲ２ＯＨおよびＨＯＲ２ＳｉＯ［Ｒ２ＳｉＯ］ｘＳｉＲ２ＯＨ（ここで、Ｒはメチルまたはエチルを表し、またｘは５００までの数を表す）、ポリアルキルアリールシロキサン、例えば商標ＳＦ  １０７５  ＭＥＴＨＹＬＰＨＥＮＹＬ  ＦＬＵＩＤ（Ｇｅｎｅｒａｌ  Ｅｌｅｃｔｒｉｃ  Ｃｏｍｐａｎｙ）および５５６  ＣＯＳＭＥＴＩＣ  ＧＲＡＤＥ  ＰＨＥＮＹＬ  ＴＲＩＭＥＴＨＩＣＯＮＥ  ＦＬＵＩＤ（Ｄｏｗ  Ｃｏｒｎｉｎｇ  Ｃｏｒｐｏｒａｔｉｏｎ）として入手可能なポリメチルフェニルシロキサン、ポリジアリールシロキサン、シリコーン樹脂、環状シリコーン、およびアミノ−、脂肪酸−、アルコール−、ポリエーテル−、エポキシ−、フッ素−および／またはアルキル変性シリコーン化合物、ならびにポリエーテルシロキサンコポリマーも考えられる。
【０１１０】
本発明によるコポリマーは、油ゲルの製造にも有利に使用することができる。したがって、本発明のさらなる好ましい一実施形態では、本発明による化粧用、医薬用、または皮膚用調合物は、例えば増粘されたベビーオイルなどの油ゲルである。
【０１１１】
本発明による油ゲルは、それぞれ油ゲルの全量に対して、好ましくは９０．０〜９９．９９重量％、特に好ましくは９４．０〜９９．９重量％、および極めて好ましくは９７．０〜９９．５重量％の１種または複数種の油または油体と、好ましくは０．０１〜１０．０重量％、特に好ましくは０．１〜６．０重量％、および極めて好ましくは０．５〜３．０重量％の１種または複数種の本発明によるコポリマーとを含有する。好ましく本発明による油ゲルに含まれる油または油体は、上述した好ましい油または油体と同じである。
【０１１２】
ケラチン繊維に対する本発明によるコポリマーの優れたコンディショニング特性が、さらに有利な点である。卓越した肌触りが得られ、しばしばべとつきやざらざら感があるワックス入り調合物よりも優れている。毛髪の光沢、ならびに毛髪の髪通りを改善する。
【０１１３】
したがって、本発明のさらなる対象は、特に好ましくは化粧用調合物中での、繊維、好ましくはケラチン繊維のコンディショニングの目的での１種または複数種の本発明によるコポリマーの使用である。
【０１１４】
本発明の特に好ましい一実施形態では、本発明による化粧用調合物は、毛髪のトリートメント剤である。このとき、好ましくは、毛髪トリートメント剤は、特に、クリームリンス（Ｃｒｅｍｅｓｐｕｅｌｕｎｇｅｎ）およびヘア・トリートメント（Ｈａａｒｋｕｒｅｎ）といった毛髪コンディショニング剤で、光沢や髪通りを改善し、毛髪を熱から守るのに使用される。本発明の格別に好ましい一実施形態では、本発明による毛髪トリートメント剤、とりわけ直ぐ上で述べた毛髪トリートメント剤は、１種または複数種の本発明によるコポリマー、および１種または複数種のさらなるカチオン性界面活性剤、例えばセトリモニウムクロリド、ベヘントリモニウムクロリド、ステアラミドプロピルジメチルアミン、ベヘンアミドプロピルジメチルアミン、またはエステル系の第四級アンモニウム化合物、および／または１種または複数種のシリコーンを含有する。
【０１１５】
本発明によるコポリマーは、その直接性（Ｓｕｂｓｔａｎｔｉｖｉｔａｅｔ）と水への低溶解度ゆえに、耐水性改良剤としての応用に適している。したがって、本発明のさらなる対象は、耐水性改良剤としての１種または複数種の本発明によるポリマーの使用である。
【０１１６】
本発明によるコポリマーは、この他、顔料、例えばＦｅＯ、ＴｉＯ２、およびＺｎＯの表面処理に適している。したがって、本発明のさらなる対象は、顔料の表面処理の目的での１種または複数種の本発明によるポリマーの使用である。
【０１１７】
本発明によるコポリマーは、この他、有利には日焼け防止調合物の耐水性を向上させるのに適している。
【０１１８】
したがって、本発明のさらなる対象は、日焼け防止調合物の耐水性向上の目的での１種または複数種の本発明によるコポリマーの使用である。
【０１１９】
さらに、本発明によるコポリマーは、有利には日焼け防止調合物の紫外線防御指数を向上するのに適している。
【０１２０】
したがって、本発明のさらなる対象は、日焼け防止調合物の紫外線防御指数の向上の目的での１種または複数種の本発明によるコポリマーの使用である。
【０１２１】
本発明のさらなる好ましい一実施形態では、本発明による調合物は、日焼け防止剤であり、１種または複数種の無機および／または有機日焼け防止フィルターを含有する。
【０１２２】
本発明によるコポリマーの顔料分散特性により、本発明による化粧用調合物または化粧剤は、本発明のさらなる好ましい一実施形態では、メークアップ化粧品、例えばパウダー、ファンデーション、マスカラ、または口紅である。
【０１２３】
本発明によるコポリマーは、この他、有利には、特に化粧用調合物中で、乳化剤として適している。
【０１２４】
したがって、本発明のさらなる対象は、乳化剤、好ましくは化粧用調合物中での乳化剤としての１種または複数種の本発明によるコポリマーの使用である。
【０１２５】
本発明のさらなる好ましい一実施形態では、本発明による調合物は、油中水型、または水中油型エマルジョン、特に本発明によるスキン・ケア製品として存在する。本発明の特に好ましい一実施形態では、このエマルジョンは、１種または複数種の本発明によるコポリマーの他に、１種または複数種の非イオン性乳化剤を含有する。エマルジョンのうち、油中水型エマルジョンが好ましい。
【０１２６】
本発明のさらなる好ましい一実施形態は、ワックス成分を含まない調合物への１種または複数種のコポリマーの使用である。
【０１２７】
本発明によるコポリマーは、増粘剤、粘稠度調節剤、および感覚添加剤としても、また乳化剤、可溶化剤、分散剤、懸濁剤、滑剤、粘着剤、および安定剤としても適している。
【０１２８】
したがって、本発明のさらなる対象は、増粘剤、粘稠度調節剤、感覚添加剤、乳化剤、可溶化剤、分散剤、懸濁剤、滑剤、粘着剤、または安定剤としての１種または複数種の本発明によるコポリマーの使用に関する。
【０１２９】
本発明による調合物は、本発明によるコポリマーを、完成した化粧用、医薬用、または皮膚用調合物に対して好ましくは０．０１〜１０．０重量％、特に好ましくは０．１〜６．０重量％、および極めて好ましくは０．５〜３．０重量％含有する。
【０１３０】
本発明による調合物は、カチオン性、非イオン性、両性界面活性剤、ベタイン界面活性剤、および／または少量のアニオン性界面活性剤を含有できる。
【０１３１】
本発明による剤中に使用する界面活性剤の総量（例えば易洗い流し製品（Ｒｉｎｓｅ−Ｏｆｆ−Ｐｒｏｄｕｋｔｅｎ）の場合）は、完成した本発明による調合物に対して好ましくは１．０〜７０．０重量％、特に好ましくは５．０〜４０．０重量％、および極めて好ましくは１０．０〜３５．０重量％である。
【０１３２】
アニオン性界面活性剤として、（Ｃ１０〜Ｃ２２）−アルキル−およびアルキレン−カルボン酸塩、アルキルエーテルカルボン酸塩、脂肪族アルコール硫酸塩、脂肪族アルコールエーテル硫酸塩、アルキルアミド硫酸塩およびアルキルアミドスルホン酸塩、脂肪酸アルキルアミドポリグリコールエーテル硫酸塩、アルカンスルホン酸塩およびヒドロキシアルカンスルホン酸塩、オレフィンスルホン酸塩、イセチオナートのアシルエステル、α−スルホ脂肪酸エステル、アルキルベンゼンスルホン酸塩、アルキルフェノールグリコールエーテルスルホン酸塩、スルホコハク酸塩、スルホコハク酸の半エステルおよびジエステル、脂肪族アルコールリン酸エステル、脂肪族アルコールエーテルリン酸エステル、タンパク質−脂肪酸−縮合生成物、アルキルモノグリセリド硫酸塩およびアルキルモノグリセリドスルホン酸塩、アルキルグリセリドエーテルスルホン酸塩、脂肪酸メチルタウリド、脂肪酸サルコシナート、スルホリシノール酸塩、アシルグルタミン酸塩、およびアシルグリシン酸塩が好ましい。これら化合物およびそれらの混合物は、水溶性または水中分散性塩、例えばナトリウム塩、カリウム塩、マグネシウム塩、アンモニウム塩、モノ−、ジ−およびトリ−エタノールアンモニウム塩、ならびに類似のアルキルアンモニウム塩の形で用いる。
【０１３３】
本発明による調合物中のアニオン性界面活性剤の量は、完成した調合物に対して好ましくは０．１〜１０．０重量％、特に好ましくは０．２〜５．０重量％、また極めて好ましくは０．５〜２．０重量％である。
【０１３４】
好ましいカチオン性界面活性剤は、第四級アンモニウム塩、例えばジ−（Ｃ８〜Ｃ２２）−アルキル−ジメチルアンモニウムクロリドまたはブロミド、好ましくはジ−（Ｃ８〜Ｃ２２）−アルキル−ジメチルアンモニウムクロリドまたはブロミド；（Ｃ８〜Ｃ２２）−アルキル−ジメチル−エチルアンモニウムクロリドまたはブロミド；（Ｃ８〜Ｃ２２）−アルキル−トリメチルアンモニウムクロリドまたはブロミド、好ましくはセチルトリメチルアンモニウムクロリドまたはブロミド、および（Ｃ８〜Ｃ２２）−アルキル−トリメチルアンモニウムクロリドまたはブロミド；（Ｃ１０〜Ｃ２４）−アルキル−ジメチルベンジル−アンモニウムクロリドまたはブロミド、好ましくは（Ｃ１２〜Ｃ１８）−アルキル−ジメチルベンジル−アンモニウムクロリド、（Ｃ８〜Ｃ２２）−アルキル−ジメチル−ヒドロキシエチルアンモニウムクロリド、−リン酸塩、−硫酸塩、−乳酸塩、（Ｃ８〜Ｃ２２）−アルキルアミドプロピルトリメチルアンモニウムクロリド、−メトスルファート、Ｎ，Ｎ−ビス（２−（Ｃ８〜Ｃ２２）−アルカノイルオキシエチル）−ジメチルアンモニウムクロリド、−メトスルファート、Ｎ，Ｎ−ビス（２−（Ｃ８〜Ｃ２２）−アルカノイル−オキシエチル）ヒドロキシエチル−メチル−アンモニウムクロリド、−メトスルファートである。
【０１３５】
本発明による調合物中のカチオン性界面活性剤の量は、完成した調合物に対して好ましくは０．１〜１０．０重量％、特に好ましくは０．５〜７．０重量％、また極めて好ましくは１．０〜５．０重量％である。
【０１３６】
非イオン性界面活性剤としては、脂肪族アルコールエトキシラート（アルキルポリエチレングリコール）；アルキルフェノールポリエチレングリコール；脂肪族アミンエトキシラート（アルキルアミノポリエチレングリコール）；脂肪酸エトキシラート（アシルポリエチレングリコール）；ポリプロピレングリコールエトキシラート（Ｐｌｕｒｏｎｉｃｓ（登録商標））；脂肪酸アルカノールアミド（脂肪酸アミドポリエチレングリコール）；サッカロースエステル；ソルビトールエステル、およびソルビタンエステル、およびそれらのポリグリコールエーテル、ならびにＣ８〜Ｃ２２アルキルポリグルコシドが好ましい。
【０１３７】
本発明による調合物中の非イオン性界面活性剤の量（例えば易洗い流し製品の場合）は、完成した調合物に対して、好ましくは１．０〜２０．０重量％の範囲、特に好ましくは２．０〜１０．０重量％、また極めて好ましくは３．０〜７．０重量％にある。
【０１３８】
さらに、本発明による調合物は、両性界面活性剤を含有することもできる。これらは、長鎖の第二級または第三級アミンの誘導体ということができ、Ｃ８〜Ｃ１８のアルキル基を有する他、もう１つの基が、水溶性を与えるアニオン性基、例えばカルボキシル基、硫酸基、またはスルホン酸基で置換されている。好ましい両性界面活性剤は、アルカリ金属塩およびモノ−、ジ−およびトリ−アルキルアンモニウム塩としてのＮ−（Ｃ１２〜Ｃ１８）−アルキル−β−アミノプロピオン酸塩およびＮ−（Ｃ１２〜Ｃ１８）−アルキル−β−イミノジプロピオン酸塩である。さらなる適した界面活性剤は、アミンオキシドである。これは第三級アミンの酸化物であり、Ｃ８〜Ｃ１８の長鎖の基と、Ｃ１〜Ｃ４の大抵は短鎖の２つのアルキル基とを有する。ここで、例えば、Ｃ１０〜Ｃ１８アルキルジメチルアミンオキシド、脂肪酸アミドアルキル−ジメチルアミンオキシドが好ましい。
【０１３９】
さらなる好ましい界面活性剤の群は、両性イオン界面活性剤とも呼ばれるベタイン界面活性剤である。これらは同一分子内に、特にアンモニウム基であるカチオン性基と、カルボキシラート基、硫酸基、またはスルホン酸基であってよいアニオン性基とを有する。適したベタインは、好ましくは、ココベタインまたは脂肪酸アルキルアミドプロピルベタインといったアルキルベタインであり、例えばココアシルアミドプロピルジメチルベタイン（Ｋｏｋｏｓａｃｙｌａｍｉｄｏｐｒｏｐｙｌｄｉｍｅｔｈｙｌｂｅｔａｉｎ）、またはＣ１２〜Ｃ１８ジメチルアミノヘキサノアート、あるいはＣ１０〜Ｃ１８アシルアミドプロパンジメチルベタインである。
【０１４０】
本発明による調合物中の両性界面活性剤および／またはベタイン界面活性剤の量は、好ましくは完成した調合物に対して０．５〜２０．０重量％、また特に好ましくは１．０〜１０．０重量％である。
【０１４１】
好ましい界面活性剤は、ラウリル硫酸塩、ラウレス硫酸塩、コカミドプロピルベタイン、アルキルベタイン、例えばココベタイン、ココイルグルタミン酸ナトリウム塩、およびラウロアンホ酢酸塩である。
【０１４２】
本発明のさらなる好ましい一実施形態では、本発明による調合物は、さらに起泡改良剤（Ｓｃｈａｕｍｖｅｒｓｔａｅｒｋｅｎｄｅ  Ｍｉｔｔｅｌ）として、アルキルベタイン、アルキルアミドベタイン、アミノプロピオナート、アミノグリシナート、イミダゾリニウムベタイン、ならびにスルホベタイン、アミノオキシド、脂肪酸アルカノールアミド、およびポリヒドロキシアミドからなる群からの共界面活性剤を含有する。
【０１４３】
本発明による調合物は、さらなる助剤および添加物として、ワックス、乳化剤、乳化助剤、可溶化剤、電解質、ヒドロキシ酸、安定剤、さらなるカチオン性ポリマー、皮膜形成材、さらなる増粘剤、ゲル化剤、過脂肪剤、再加脂剤、抗菌作用物質、生体活性物質、収斂剤、脱臭剤、日焼け防止フィルター、酸化防止剤、保湿剤、溶媒、着色剤、香料、パール光沢剤、乳白剤、および／または水溶性シリコーンを含有することができる。
【０１４４】
本発明による調合物は、例えばパラフィンワックス、マイクロワックス、およびオゾケライト、蜜ろうおよびその部分留分、ならびに蜜ろう誘導体などのワックス；ホモポリマーポリエチレンまたはα−オレフィンの共重合体からなる群からのワックス；さらには米ぬかワックス、キャンデリラワックス、カルナウバワックス、木ろう、またはシェラックワックスなどの天然ワックスを含有することができる。
【０１４５】
乳化剤、乳化助剤、および可溶化剤として、非イオン性、アニオン性、カチオン性、または両性の界面活性化合物を使用できる。
【０１４６】
非イオン性界面活性化合物として、好ましくは以下のものが考えられる。
０〜３０モルのエチレンオキシドおよび／または０〜５モルのプロピレンオキシドと、Ｃ８〜Ｃ２２直鎖状脂肪族アルコール、Ｃ１２〜Ｃ２２脂肪酸、アルキル基中に８〜１５個のＣ原子を有するアルキルフェノール、およびソルビタン−またはソルビトールエステルとの付加生成物；０〜３０モルのエチレンオキシドとグリセリンの付加生成物の（Ｃ１２〜Ｃ１８）−脂肪酸モノおよびジエステル；Ｃ６〜Ｃ２２の飽和および不飽和脂肪族酸、また場合によりそれらのエチレンオキシド付加生成物の、グリセリンモノおよびジエステルならびにソルビタンモノおよびジエステル；１５〜６０モルのエチレンオキシドとヒマシ油および／または硬化ヒマシ油との付加生成物；ポリオールエステル、特にポリグリセリンエステル、例えばポリグリセリンポリリシノール酸エステル、およびポリグリセリンポリ−１２−ヒドロキシステアリン酸エステル。同様に、好ましくは、エトキシ化脂肪族アミン、脂肪酸アミド、脂肪酸アルカノールアミド、およびこれらの物質類の複数の化合物の混合体が適している。
【０１４７】
イオン形成性乳化助剤として、例えば、アニオン性乳化剤、例えばモノ−、ジ−、またはトリ−リン酸エステル、石けん（例えば、ステアリン酸ナトリウム）、脂肪族アルコール硫酸エステル、さらにまたカチオン性乳化剤、例えばモノ−、ジ−、またはトリ−アルキルクワット（Ａｌｋｙｌｑｕａｔ）およびそれらのポリマー誘導体が適している。
【０１４８】
両性乳化剤としては、好ましくは、アルキルアミノアルキルカルボン酸、ベタイン、スルホベタイン、およびイミダゾリン誘導体を使用できる。
【０１４９】
特に好ましくは、エトキシ化ステアリルアルコール、イソステアリルアルコール、セチルアルコール、イソセチルアルコール、オレイルアルコール、ラウリルアルコール、イソラウリルアルコール、およびセチルステアリルアルコール、特に、ポリエチレングリコール（１３）ステアリルエーテル、ポリエチレングリコール（１４）ステアリルエーテル、ポリエチレングリコール（１５）ステアリルエーテル、ポリエチレングリコール（１６）ステアリルエーテル、ポリエチレングリコール（１７）ステアリルエーテル、ポリエチレングリコール（１８）ステアリルエーテル、ポリエチレングリコール（１９）ステアリルエーテル、ポリエチレングリコール（２０）ステアリルエーテル、ポリエチレングリコール（１２）イソステアリルエーテル、ポリエチレングリコール（１３）イソステアリルエーテル、ポリエチレングリコール（１４）イソステアリルエーテル、ポリエチレングリコール（１５）イソステアリルエーテル、ポリエチレングリコール（１６）イソステアリルエーテル、ポリエチレングリコール（１７）イソステアリルエーテル、ポリエチレングリコール（１８）イソステアリルエーテル、ポリエチレングリコール（１９）イソステアリルエーテル、ポリエチレングリコール（２０）イソステアリルエーテル、ポリエチレングリコール（１３）セチルエーテル、ポリエチレングリコール（１４）セチルエーテル、ポリエチレングリコール（１５）セチルエーテル、ポリエチレングリコール（１６）セチルエーテル、ポリエチレングリコール（１７）セチルエーテル、ポリエチレングリコール（１８）セチルエーテル、ポリエチレングリコール（１９）セチルエーテル、ポリエチレングリコール（２０）セチルエーテル、ポリエチレングリコール（１３）イソセチルエーテル、ポリエチレングリコール（１４）イソセチルエーテル、ポリエチレングリコール（１５）イソセチルエーテル、ポリエチレングリコール（１６）イソセチルエーテル、ポリエチレングリコール（１７）イソセチルエーテル、ポリエチレングリコール（１８）イソセチルエーテル、ポリエチレングリコール（１９）イソセチルエーテル、ポリエチレングリコール（２０）イソセチルエーテル、ポリエチレングリコール（１２）オレイルエーテル、ポリエチレングリコール（１３）オレイルエーテル、ポリエチレングリコール（１４）オレイルエーテル、ポリエチレングリコール（１５）オレイルエーテル、ポリエチレングリコール（１２）ラウリルエーテル、ポリエチレングリコール（１２）イソラウリルエーテル、ポリエチレングリコール（１３）セチルステアリルエーテル、ポリエチレングリコール（１４）セチルステアリルエーテル、ポリエチレングリコール（１５）セチルステアリルエーテル、ポリエチレングリコール（１６）セチルステアリルエーテル、ポリエチレングリコール（１７）セチルステアリルエーテル、ポリエチレングリコール（１８）セチルステアリルエーテル、ポリエチレングリコール（１９）セチルステアリルエーテルからなる群から選択される脂肪族アルコールエトキシラートが使用される。
【０１５０】
同様に、エトキシ化ステアラート、イソステアラートおよびオレアート、特に、ポリエチレングリコール（２０）ステアラート、ポリエチレングリコール（２１）ステアラート、ポリエチレングリコール（２２）ステアラート、ポリエチレングリコール（２３）ステアラート、ポリエチレングリコール（２４）ステアラート、ポリエチレングリコール（２５）ステアラート、ポリエチレングリコール（１２）イソステアラート、ポリエチレングリコール（１３）イソステアラート、ポリエチレングリコール（１４）イソステアラート、ポリエチレングリコール（１５）イソステアラート、ポリエチレングリコール（１６）イソステアラート、ポリエチレングリコール（１７）イソステアラート、ポリエチレングリコール（１８）イソステアラート、ポリエチレングリコール（１９）イソステアラート、ポリエチレングリコール（２０）イソステアラート、ポリエチレングリコール（２１）イソステアラート、ポリエチレングリコール（２２）イソステアラート、ポリエチレングリコール（２３）イソステアラート、ポリエチレングリコール（２４）イソステアラート、ポリエチレングリコール（２５）イソステアラート、ポリエチレングリコール（１２）オレアート、ポリエチレングリコール（１３）オレアート、ポリエチレングリコール（１４）オレアート、ポリエチレングリコール（１５）オレアート、ポリエチレングリコール（１６）オレアート、ポリエチレングリコール（１７）オレアート、ポリエチレングリコール（１８）オレアート、ポリエチレングリコール（１９）オレアート、ポリエチレングリコール（２０）オレアートからなる群から選択される脂肪酸エトキシラートも好ましい。
【０１５１】
エトキシ化アルキルエーテルカルボン酸またはその塩としては、有利には、ラウリルエーテル−１１−カルボン酸ナトリウム（Ｎａｔｒｉｕｍ  Ｌａｕｒｅｔｈ−１１−ｃａｒｂｏｘｙｌａｔ）を使用できる。
【０１５２】
エトキシ化トリグリセリドとしては、有利には、ポリエチレングリコール（６０）マツヨイグサグリセリドを使用できる。
【０１５３】
さらに、ポリエチレングリコール（２０）グリセリルラウラート、ポリエチレングリコール（６）グリセリルカプラート／カプリナート、ポリエチレングリコール（２０）グリセリルオレアート、ポリエチレングリコール（２０）グリセリルイソステアラートおよびポリエチレングリコール（１８）グリセリルオレアート／ヤシ油脂肪酸エステルからなる群から選択されるポリエチレングリコールグリセリン脂肪酸エステルが有利である。
【０１５４】
ソルビタンエステルのうち、ポリエチレングリコール（２０）ソルビタンモノラウラート、ポリエチレングリコール（２０）ソルビタンモノステアラート、ポリエチレングリコール（２０）ソルビタンモノイソステアラート、ポリエチレングリコール（２０）ソルビタンモノパルミタート、ポリエチレングリコール（２０）ソルビタンモノオレアートが特に適している。
【０１５５】
特に有利な乳化助剤剤は、グリセリルモノステアラート、グリセリルモノオレアート、ジグリセリルモノステアラート、グリセリルイソステアラート、ポリグリセリル−３−オレアート、ポリグリセリル−３−ジイソステアラート、ポリグリセリル−４−イソステアラート、ポリグリセリル−２−ジポリヒドロキシステアラート、ポリグリセリル−４−ジポリヒドロキシステアラート、ＰＥＧ−３０−ジポリヒドロキシステアラート、ジイソステアロイルポリグリセリル−３−ジイソステアラート、グリコールジステアラートおよびポリグリセリル−３−ジポリヒドロキシステアラート、ソルビタンモノイソステアラート、ソルビタンステアラート、ソルビタンオレアート、サッカロースジステアラート、レシチン、ＰＥＧ−７−水添ヒマシ油、セチルアルコール、ステアリルアルコール、ベヘニルアルコール、イソベヘニルアルコール、およびポリエチレングリコール（２）ステアリルエーテル（ステアレス−２）、アルキルメチコンコポリオールおよびアルキル−ジメチコンコポリオール、特にセチルジメチコンコポリオール、ラウリルメチコンコポリオールである。
【０１５６】
本発明による調合物は、１種または複数種の乳化剤、乳化助剤、または可溶化剤を、完成された調合物に対して、０．１〜２０．０重量％、好ましくは１．０〜１５．０重量％、また特に好ましくは３．０〜１０．０重量％の量だけ含有することができる。
【０１５７】
電解質としては、無機塩、好ましくはアンモニウム塩または金属塩、特に好ましくはハロゲン化物、例えばＣａＣｌ２、ＭｇＣｌ２、ＬｉＣｌ、ＫＣｌ、およびＮａＣｌ、炭酸塩、炭酸水素塩、リン酸塩、硫酸塩、硝酸塩、特に好ましくは塩化ナトリウム、および／または有機塩、好ましくはアンモニウム塩、または金属塩、特に好ましくはグリコール酸、乳酸、クエン酸、酒石酸、マンデル酸、サリチル酸、アスコルビン酸、焦性ブドウ酸、フマル酸、レチノイン酸、スルホン酸、安息香酸、コウジ酸、フルーツ酸、リンゴ酸、グルコン酸、またはガラクツロン酸の塩を使用できる。
【０１５８】
ここには、アルミニウム塩、好ましくはクロルヒドロキシアルミニウムまたはアルミニウム−ジルコニウム錯塩も含まれる。
【０１５９】
本発明による調合物は、電解質として、異なる塩の混合物を含有することもできる。１種または複数種の電解質の含量は、本発明による調合物全量に対して好ましくは０．１〜２０．０重量％、特に好ましくは０．２〜１０．０重量％、また極めて好ましくは０．５〜５．０重量％である。
【０１６０】
ヒドロキシ酸として、本発明による調合物は、好ましくは乳酸、グリコール酸、サリチル酸、クエン酸、またはポリグリコール二酸を、遊離または部分的に中和して含有することができる。さらに、本発明による調合物で、ビタミンＣまたはビタミンＣ−誘導体、ジヒドロキシアセトン、または肌の美白活性体、例えばアルブチンまたはグリチルレチン酸、およびそれらの塩を含むものは、安定化することができる。１種または複数種のこれら物質の含量は、本発明による調合物全量に対して、好ましくは０．１〜２０．０重量％、特に好ましくは０．２〜１０．０重量％、また極めて好ましくは０．５〜５．０重量％である。
【０１６１】
本発明によるコポリマーには、追加の安定剤として、脂肪酸の金属塩、例えばマグネシウム、アルミニウム、および／または亜鉛ステアラートを、好ましくは、完成した調合物に対して０．１〜１０．０重量％、好ましくは０．５〜８．０重量％、また特に好ましくは１．０〜５．０重量％の量で使用できる。
【０１６２】
カチオン性ポリマーとして、ＩＮＣＩ名で「ポリクオタニウム」として知られたもの、特に特にポリクオタニウム−３１、ポリクオタニウム−１６、ポリクオタニウム−２４、ポリクオタニウム−７、ポリクオタニウム−２２、ポリクオタニウム−３９、ポリクオタニウム−２８、ポリクオタニウム−２、ポリクオタニウム−１０、ポリクオタニウム−１１、ならびにポリクオタニウム−３７＆ミネラルオイル＆ＰＰＧトリデセス（Ｓａｌｃａｒｅ  ＳＣ９５）、ＰＶＰ−ジメチルアミノエチルメタクリラート−コポリマー、グアー−ヒドロキシプロピルトリアンモニウム−クロリド、ならびにアルギン酸カルシウム塩、およびアルギン酸アンモニウム塩が適している。さらに、カチオン性セルロース誘導体；カチオン性デンプン；ジアリルアンモニウム塩とアクリルアミドのコポリマー；四級化されたビニルピロリドン／ビニルイミダゾール−ポリマー；ポリグリコールとアミンの縮合生成物；四級化されたコラーゲンポリペプチド；四級化された小麦ポリペプチド；ポリエチレンイミン；カチオン性シリコーンポリマー、例えばアミドメチコン；アジピン酸とジメチルアミノヒドロキシプロピルジエチレントリアミンのコポリマー；ポリアミノポリアミドおよびカチオン性キチン誘導体、例えばキトサンを使用できる。
【０１６３】
本発明による調合物は、上に挙げた１種または複数種のカチオン性ポリマーを、完成した調合物に対して０．１〜５．０重量％、好ましくは０．２〜３．０重量％、また特に好ましくは０．５〜２．０重量％の量だけ含むことができる。
【０１６４】
さらに、本発明による調合物は、用途に合わせて、フェニルベンズイミダゾールスルホン酸の塩、水溶性ポリウレタン、例えばＣ１０−ポリカルバミルポリグリセリルエステル、ポリビニルアルコール、ポリビニルピロリドンコポリマー、例えばビニルピロリドン／酢酸ビニルコポリマー、水溶性アクリル酸ポリマー／コポリマーまたはそのエステルまたは塩、例えばアクリル／メタクリル酸の部分エステルコポリマー、水溶性セルロース、例えばヒドロキシメチルセルロース、ヒドロキシエチルセルロース、ヒドロキシプロピルセルロース、水溶性クオタニウム、ポリクオタニウム、カルボキシビニルポリマー、例えばカルボマーおよびその塩、ポリサッカリド、例えばポリデキストロース、およびグルカン、例えば商品名Ａｒｉｓｔｏｆｌｅｘ（登録商標）Ａ  ６０（Ｃｌａｒｉａｎｔ社）として入手可能な酢酸ビニル／クロトン酸塩からなる群から選択される皮膜形成材を含有できる。
【０１６５】
本発明による調合物は、１種または複数種の皮膜形成材を、完成した調合物に対して０．１〜１０．０重量％、好ましくは０．２〜５．０重量％、また特に好ましくは０．５〜３．０重量％の量だけ含有できる。
【０１６６】
調合物は、さらなる増粘剤およびゲル化剤の添加により、所望の粘度に調節できる。好ましくは、セルロースエーテル、および他のセルロース誘導体（例えば、カルボキシメチルセルロース、ヒドロキシエチルセルロース）、ゼラチン、デンプン、およびデンプン誘導体、アルギン酸ナトリウム、脂肪酸ポリエチレングリコールエステル、寒天、トラガントまたはデキストリン誘導体、特にデキストリンエステルが考えられる。さらに、好ましくはＣ１２〜Ｃ２２である脂肪酸の金属塩、例えばステアリン酸ナトリウム、パルミチン酸ナトリウム、ラウリン酸ナトリウム、アラキジン酸ナトリウム、ベヘン酸ナトリウム、ステアリン酸カリウム、パルミチン酸カリウム、ミリスチン酸ナトリウム、モノステアリン酸アルミニウム、ヒドロキシ脂肪酸、例えば、１２−ヒドロキシステアリン酸、１６−ヒドロキシヘキサデカノイル酸；脂肪酸アミド；脂肪酸アルカノールアミド；ジベンザルソルビトール、およびアルコール溶解性ポリアミド、およびポリアクリルアミド、またはそれらの混合物が適している。さらに、架橋させたおよび無架橋のポリアクリラート、例えばカルボマー、ナトリウムポリアクリラート、または含スルホン酸ポリマー、例えばアンモニウムアクリロイルジメチルタウラート／ＶＰコポリマーを使用できる。
【０１６７】
本発明のさらなる好ましい一実施形態では、本発明による調合物は、増粘剤またはゲル化剤を、完成した本発明による調合物に対して０．０１〜２０．０重量％、特に好ましくは０．１〜１０．０重量％、極めて好ましくは０．２〜３．０重量％、また、非常に好ましくは０．４〜２．０重量％含有する。
【０１６８】
過脂肪剤としては、好ましくはラノリンおよびレシチン、非エトキシ化およびポリエトキシ化またはアシル化したラノリン誘導体およびレシチン誘導体、ポリオール脂肪酸エステル、モノ−、ジ−、およびトリグリセリド、および／または脂肪酸アルカノールアミド（これは同時に起泡安定剤としても働く）を使用することができ、これらは、完成した本発明による調合物に対して、好ましくは０．０１〜１０．０重量％、特に好ましくは０．１〜５．０重量％、また極めて好ましくは０．５〜３．０重量％の量で使用される。
【０１６９】
抗菌作用物質には、セチルトリメチルアンモニウムクロリド、セチルピリジニウムクロリド、ベンゼトニウムクロリド、ジイソブチルエトキシエチルジメチルベンジルアンモニウムクロリド、アルミニウムクロロヒドロキシ乳酸ナトリウム、クエン酸トリエチル、トリセチルメチルアンモニウムクロリド、２，４，４’−トリクロロ−２’−ヒドロキシジフェニルエーテル（トリクロサン）、フェノキシエタノール、１，５−ペンタンジオール、１，６−ヘキサンジオール、３，４，４’−トリクロロカルバニリド（トリクロカルバン）、ジアミノアルキルアミド、例えば、Ｌ−リジンヘキサデシルアミド、クエン酸エステル重金属塩、サリチラート、ピロクトース、特に亜鉛塩、ピリチオン、およびその重金属塩、特にピリチオン亜鉛、フェノール硫酸亜鉛、ファルネソール、ケトコナゾール、オキシコナゾール、ビフォナゾール、ブトコナゾール、クロコナゾール、クロトリマゾール、エコナゾール、エニルコナゾール、フェンチコナゾール、イソコナゾール、ミコナゾール、スルコナゾール、チオコナゾール、フルコナゾール、イトラコナゾール、テルコナゾール、ナフチフィン、およびテルビナフィン、二硫化セレン、およびＯｃｔｏｐｉｒｏｘ（登録商標）、ブチルカルバミン酸ヨウ化プロピニル、メチルクロロイソチアゾリノン、メチルイソチアゾリノン、メチルジブロモグルタロニトリル、ＡｇＣｌ、クロロキシレノール、ジエチルヘキシルスルホコハク酸のＮａ塩、安息香酸ナトリウム、ならびにフェノキシエタノール、ベンジルアルコール、フェノキシイソプロパノール、パラベン、好ましくはブチル、エチル、メチル、およびプロピルパラベン、ならびにそれらのＮａ塩、ペンタンジオール、１，２−オクタンジオール、２−ブロモ−２−ニトロプロパン−１，３−ジオール、エチルヘキシルグリセリン、ベンジルアルコール、ソルビン酸、安息香酸、乳酸、イミドアゾリジニル尿素、ジアゾリジニル尿素、ジメチロールジメチルヒダントイン（ＤＭＤＭＨ）、ヒドロキシメチルグリシンのＮａ塩、およびこれら作用物質の組合せを使用できる。
【０１７０】
本発明による調合物は、抗菌作用物質を、完成した本発明による調合物に対して、好ましくは０．００１〜５．０重量％、特に好ましくは０．０１〜３．０重量％、また極めて好ましくは０．１〜２．０重量％の量だけ含有する。
【０１７１】
本発明による調合物はさらに、植物抽出物、例えばアロエ、および局所麻酔剤、抗生物質、消炎剤、抗アレルギー剤、副腎皮質ステロイド、皮脂抑制剤、Ｂｉｓａｂｏｌｏｌ（登録商標）、アラントイン、Ｐｈｙｔａｎｔｒｉｏｌ（登録商標）、タンパク質、ビタミン（ナイアシン、ビオチン、ビタミンＢ２、ビタミンＢ３、ビタミンＢ６、ビタミンＢ３誘導体（塩、酸、エステル、アミド、アルコール）、ビタミンＣおよびビタミンＣ誘導体（塩、酸、エステル、アミド、アルコール）、好ましくはアスコルビン酸のモノリン酸エステルのナトリウム塩として、またはアスコルビン酸のリン酸エステルのマグネシウム塩としてのもの、トコフェロールおよび酢酸トコフェロール、ならびにビタミンＥおよび／またはその誘導体から選択される）から選択される生体作用物質を含むことができる。
【０１７２】
本発明による調合物は、生体作用物質を、完成した調合物に対して、好ましくは０．００１〜５．０重量％、特に好ましくは０．０１〜３．０重量％、また極めて好ましくは０．１〜２．０重量％の量だけ含有することができる。
【０１７３】
本発明による調合物は、収斂剤、好ましくは酸化マグネシウム、酸化アルミニウム、二酸化チタン、二酸化ジルコニウム、および酸化亜鉛、酸化物水和物、好ましくは酸化アルミニウム水和物（ベーマイト）、および水酸化物、好ましくはカルシウム、マグネシウム、アルミニウム、チタン、ジルコニウムまたは亜鉛の水酸化物、ならびにクロルヒドロキシアルミニウムを、好ましくは０〜５０．０重量％の量、特に好ましくは０．０１〜１０．０重量％の量、また極めて好ましくは０．１〜１０．０重量％の量だけ含有することができる。脱臭物質としては、アラントインおよびビサボロールが好ましい。これらは、好ましくは０．０００１〜１０．０重量％の量だけ使用される。
【０１７４】
本発明による調合物は、顔料/微粒子顔料として、ならびにまた無機日焼け防止フィルターとして、微小二酸化チタン、雲母−酸化チタン、酸化鉄、雲母−酸化鉄、酸化亜鉛、酸化ケイ素、ウルトラマリンブルー、酸化クロムを含有することができる。
【０１７５】
本発明による調合物は、好ましくは４−アミノ安息香酸、３−（４’−トリメチルアンモニウム）ベンジリデン−ボラン−２−オン−メチルスルファート、カンファーベンザルコニウムメトスルファート、３，３，５−トリメチル−シクロヘキシルサリチラート、２−ヒドロキシ−４−メトキシベンゾフェノン、２−フェニルベンズイミダゾール−５−スルホン酸およびそのカリウム、ナトリウム、およびトリエタノールアミン塩、３，３’−（１，４−フェニレンジメチン）−ビス−（７，７−ジメチル−２−オキソビシクロ［２．２．１］−ヘプタン−１−メタンスルホン酸）およびその塩、１−（４−ｔｅｒｔ．−ブチルフェニル）−３−（４−メトキシフェニル）プロパン−１，３−ジオン、３−（４’−スルホ）−ベンジリデン−ボルナン−２−オンおよびその塩、２−シアノ−３，３−ジフェニル−アクリル酸−（２−エチルヘキシルエステル）、Ｎ−［２（および４）−（２−オキソボルン−３−イリデンメチル）ベンジル］−アクリルアミドのポリマー、４−メトキシ−ケイ皮酸−２−エチル−ヘキシルエステル、エトキシ化エチル−４−アミノ−安息香酸塩、４−メトキシ−ケイ皮酸−イソアミルエステル、２，４，６−トリス−［ｐ−（２−エチルヘキシルオキシカルボニル）アニリノ］−１，３，５−トリアジン、２−（２Ｈ−ベンゾトリアゾール−２−イル）−４−メチル−６−（２−メチル−３−（１，３，３，３−テトラメチル−１−（トリメチルシリルオキシ）−ジシロキサニル）−プロピル）フェノール、４，４’−［（６−［４−（（１，１−ジメチルエチル）−アミノ−カルボニル）フェニルアミノ］−１，３，５−トリアジン−２，４−イル）ジイミノ］ビス−（安息香酸−２−エチルヘキシルエステル）、ベンゾフェノン−３、ベンゾフェノン−４（酸）、３−（４’−メチルベンジリデン）−Ｄ，Ｌ−カンファー、３−ベンジリデン−カンファー、サリチル酸−２−エチルヘキシルエステル、４−ジメチルアミノ安息香酸−２−エチルヘキシルエステル、ヒドロキシ−４−メトキシ−ベンゾフェノン−５−スルホン酸（スルフィソベンゾヌム）およびナトリウム塩、４−イソプロピルベンジルサリチラート、Ｎ，Ｎ，Ｎ−トリメチル−４−（２−オキソボルン−３−イリデンメチル）アニリウムメチルスルファート、ホモサラート（ＩＮＮ）、オキシベンゾン（ＩＮＮ）、２−フェニルベンズイミダゾール−５−スルホン酸およびそのナトリウム、カリウム、およびトリエタノールアミン塩、オクチルメトキシケイ皮酸、イソペンチル−４−メトキシケイ皮酸、イソアミル−ｐ−メトキシケイ皮酸、２，４，６−トリアニリノ−（ｐ−カルボ−２’−エチルヘキシル−１’−オキシ）−１，３，５−トリアジン（オクチルトリアゾン）、フェノール、２−２（２Ｈ−ベンゾトリアゾール−２−イル）−４−メチル−６−（２−メチル−３−（１，３，３，３−テトラメチル−１−（トリメチルシリル）オキシ）−ジシロキサニル）プロピル（ドロメトリゾールトリシロキサン）安息香酸、４，４−（（６−（（（１，１−ジメチルエチル）アミノ）カルボニル）フェニル）アミノ）−１，３，５−トリアジン−２，４−ジイル）ジイミノ）ビス，ビス（２−エチルヘキシル）エステル）安息香酸、４，４−（（６−（（（１，１−ジメチルエチル）アミノ）−カルボニル）フェニル）アミノ）−１，３，５−トリアジン−２，４−ジイル）ジイミノ）ビス−，ビス（２−エチルヘキシル）エステル）、３−（４’−メチルベンジリデン）−Ｄ，Ｌ−カンファー（４−メチルベンジリデンカンファー）、ベンジリデン−カンファー−スルホン酸、オクトクリレン、ポリアクリルアミドメチル−ベンジリデン−カンファー、２−エチルヘキシルサリチル酸塩（オクチルサリチル酸塩）、４−ジメチル−アミノ安息香酸エチル−２−ヘキシルエステル（オクチルジメチルＰＡＢＡ）、ＰＥＧ−２５  ＰＡＢＡ、２−ヒドロキシ−４−メトキシベンゾ−フェノン−５−スルホン酸（ベンゾフェノン−５）およびＮａ−塩、２，２’−メチレン−ビス−６−（２Ｈ−ベンゾトリアゾール−２−イル）−４−（テトラメチル−ブチル）−１，１，３，３−フェノール、２−２’−ビス−（１，４−フェニレン）１Ｈ−ベンズイミダゾール−４，６−ジスルホン酸のナトリウム塩、（１，３，５）−トリアジン−２，４−ビス（（４−（２−エチル−ヘキシルオキシ）−２−ヒドロキシ）−フェニル）−６−（４−メトキシフェニル）、２−エチルヘキシル−２−シアノ−３，３−ジフェニル−２−プロペノアート、グリセリルオクタノアート、ジ−ｐ−メトキシケイ皮酸、ｐ−アミノ安息香酸およびそのエステル、４−ｔｅｒｔ−ブチル−４’−メトキシジベンゾイルメタン、４−（２−β−グルコピラノキシ）プロポキシ−２−ヒドロキシベンゾフェノン、オクチルサリチル酸塩、メチル−２，５−ジイソプロピルケイ皮酸、シノキサート、ジヒドロキシ−ジメトキシベンゾフェノン、２，２’−ジヒドロキシ−４，４’−ジメトキシ−５，５’−ジスルホベンゾフェノンの二ナトリウム塩、ジヒドロキシベンゾフェノン、１，３，４−ジメトキシフェニル−４，４−ジメチル−１，３−ペンタンジオン、２−エチルヘキシル−ジメトキシベンジリデン−ジオキソイミドアゾリジンプロピオナート、メチレン−ビス−ベンズトリアゾーリルテトラメチルブチルフェノール、フェニルジベンズイミダゾールテトラスルホン酸塩、ビス−エチルヘキシルオキシフェノール−メトキシフェノール−トリアジン、テトラヒドロキシベンゾフェノン、テレフタリリデンジカンファースルホン酸、２，４，６−トリス［４，２−エチルヘキシルオキシカルボニル）アニリノ］−１，３，５−トリアジン、メチル−ビス（トリメチルシロキシ）シリル−イソペンチルトリメトキシ−ケイ皮酸、アミル−ｐ−ジメチルアミノ安息香酸塩、アミル−ｐ−ジメチルアミノ安息香酸塩、２−エチルヘキシル−ｐ−ジメチルアミノ安息香酸塩、イソプロピル−ｐ−メトキシケイ皮酸／ジイソプロピルケイ皮酸エステル、２−エチルヘキシル−ｐ−メトキシケイ皮酸、２−ヒドロキシ−４−メトキシベンゾフェノン、２−ヒドロキシ−４−メトキシベンゾフェノン−５−スルホン酸および三水和物、ならびに２−ヒドロキシ−４−メトキシベンゾフェノン−５−スルホン酸ナトリウム塩、およびフェニル−ベンズイミダゾール−スルホン酸から選択される１種または複数種の有機日焼け防止フィルターを含有することができる。
【０１７６】
本発明による調合物中での前述の日焼け防止フィルター（１種または複数種の化合物）の量は、完成した調合物の全重量に対して、好ましくは０．００１〜３０．０重量％、特に好ましくは０．０５〜２０．０重量％、また極めて好ましくは１．０〜１０．０重量％である。
【０１７７】
本発明による調合物は、好ましくは、アミノ酸（例えば、グリシン、ヒスチジン、チロシン、トリプトファン）およびその誘導体、イミダゾール（例えば、ウロカニン酸）およびその誘導体、ペプチド（例えば、Ｄ，Ｌ−カルノシン、Ｄ−カルノシン、Ｌ−カルノシン）およびその誘導体（例えば、アンセリン）、カロチノイド、カロチン（例えば、α−カロチン、β−カロチン、リコペン）およびその誘導体、クロロゲン酸およびその誘導体、リポ酸およびその誘導体（例えば、ジヒドロリポ酸）、金チオグルコース、プロピルチオウラシルおよびその他のチオール（例えば、チオレドキシン、グルタチオン、システイン、シスチン、シスタミンおよびそのグリコシル−、Ｎ−アセチル−、メチル−、エチル−、プロピル−、アミル−、ブチル−、ラウリル−、パルミトイル−、オレイル−、γ−リノレイル−、コレステリル−、およびグリセリルエステル）ならびにその塩、ジラウリルチオジプロピオナート、ジステアリルチオジプロピオナート、チオジプロピオン酸およびその誘導体（例えば、エステル、エーテル、ペプチド、脂質、ヌクレオチド、ヌクレオシドおよび塩）、ならびに、適合可能な非常に少ない添加量でのスルホキシイミン化合物（例えば、ブチオニンスルホキシイミン、ホモシステインスルホキシイミン、ブチオニンスルホン、ペンタ−、ヘキサ−、ヘプタチオニンスルホキシイミン）、さらに（金属）キレート剤（例えば、α−ヒドロキシ脂肪酸、パルミチン酸、フィチン酸、ラクトフェリン）、α−ヒドロキシ酸（例えば、クエン酸、乳酸、リンゴ酸）、フミン酸、胆汁酸、胆汁抽出物、ビリルビン、ビリベルジン、ＥＤＴＡ、ＥＧＴＡおよびその誘導体、不飽和脂肪酸およびその誘導体（例えば、γ−リノレン酸、リノール酸、油酸）、葉酸およびその誘導体、ユビキノンおよびユビキノールおよびその誘導体、ビタミンＣおよび誘導体（例えば、アスコルビルパルミチン酸塩、アスコルビルリン酸−Ｍｇ塩、酢酸アスコルビル）、トコフェロールおよび誘導体（例えば、ビタミンＥ−アセタート）、ビタミンＡおよび誘導体（ビタミンＡ−パルミタート）ならびに安息香樹脂のコニフェリルベンゾアート、ルチン酸およびその誘導体、α−グリコシルルチン、フェルラ酸、フルフリリデングルシトール、カルノシン、ブチルヒドロキシトルエン、ブチルヒドロキシアニソール、ノルジヒドログアヤク樹脂酸、ノルジヒドログアイアレチン酸、トリヒドロキシブチロフェノン、尿酸およびその誘導体、マンノースおよびその誘導体、亜鉛およびその誘導体（例えば、ＺｎＯ、ＺｎＳＯ４）、セレンおよびその誘導体（例えば、セレンメチオニン）、スチルベンおよびその誘導体（例えば、スチルベン酸化物、ｔｒａｎｓ−スチルベン酸化物）、超酸化物−ジスムターゼ、および上掲の物質の本発明に適した誘導体（塩、エステル、エーテル、糖、ヌクレオチド、ヌクレオシド、ペプチドおよび脂質）から選択される１種または複数種の酸化防止剤を含有することができる。
【０１７８】
酸化防止剤は、皮膚および毛髪を酸化から守ることができる。このとき、好ましい酸化防止剤は、ビタミンＥおよびその誘導体、ならびにビタミンＡおよびその誘導体である。
【０１７９】
本発明による調合物中の１種または複数種の酸化防止剤の量は、調合物の全重量に対して、好ましくは０．００１〜３０．０重量％、特に好ましくは０．０５〜２０．０重量％、また極めて好ましくは１．０〜１０．０重量％である。
【０１８０】
さらに、２−ピロリドン−５−カルボン酸塩のナトリウム塩（ＮａＰＣＡ）、グアニジン、グリコール酸およびその塩、乳酸およびその塩、グルコサミンおよびその塩、ラクトアミドモノエタノールアミン、アセトアミドモノエタノールアミン、尿素、ヒドロキシ酸、パンテノールおよびその誘導体、例えばＤ−パンテノール（Ｒ−２，４−ジヒドロキシ−Ｎ−（３−ヒドロキシプロピル）−３，３−ジメチルブタミド）、Ｄ，Ｌ−パンテノール、パントテン酸カルシウム、パンテチン、パントテイン、パンテニルエチルエーテル、パルミチン酸イソプロピル、グリセリンおよび／またはソルビトールから選択される保湿剤を、完成した調合物に対して、好ましくは０．１〜１５．０重量％、特に好ましくは０．５〜５．０重量％の量だけ使用することができる。
【０１８１】
加えて、本発明による調合物は、有機溶媒を含むことができる。原理的には、全ての一価または多価アルコールが有機溶媒として考えられる。好ましくは、Ｃ１〜Ｃ４アルコール、例えばエタノール、プロパノール、イソプロパノール、ｎ−ブタノール、ｉ−ブタノール、ｔ−ブタノール、グリセリン、および上記のアルコールの混合物が使用される。さらなる好ましいアルコールは、相対分子質量が２０００未満のポリエチレングリコールである。特に、相対分子質量が２００〜６００のポリエチレングリコールを最大で４５．０重量％の量、および相対分子質量が４００〜６００のポリエチレングリコールを５．０〜２５．０重量％の量だけ使用するのが好ましい。さらなる適した溶媒には、例えば、トリアセチン（グリセリントリアセタート）、および１−メトキシ−２−プロパノールがある。
【０１８２】
本発明による調合物は、着色剤、例えば染料および／または顔料から選択される１種または複数種の物質を含有することができる。本発明による調合物に含有される染料および／または顔料は、有機、無機の染料および顔料を問わず、対応した化粧品規制によるポジティブ・リスト、あるいはＥＧ化粧用色素リストから選定されている。
【０１８３】
【表１】
2012522852.tif 000009
2012522852.tif 000010
2012522852.tif 000011
2012522852.tif 000012
2012522852.tif 000013
2012522852.tif 000014
【０１８４】
さらに有利なものに、油溶性の天然染料、例えばトウガラシ抽出物、β−カロチン、およびコチニールがある。
【０１８５】
パール光沢顔料、例えば魚鱗箔（魚鱗からのグアニン／ヒポキサンチン混合結晶）、および真珠層（磨砕した貝殻）、単結晶パール光沢顔料、例えば、オキシ塩化ビスマス（ＢｉＯＣｌ）、層−基質顔料、例えば雲母／金属酸化物、ＴｉＯ２からの銀白色パール光沢顔料、光干渉顔料（ＴｉＯ２、様々な層厚）、色光沢顔料（Ｆｅ２Ｏ３）、および複合顔料（ＴｉＯ２／Ｆｅ２Ｏ３、ＴｉＯ２／Ｃｒ２Ｏ３、ＴｉＯ２／紺青、ＴｉＯ２／カルミン）も有利に使用される。
【０１８６】
本発明において効果顔料とは、その屈折特性により特別な光学的効果を生じる顔料と理解される。効果顔料は、処理した表面（皮膚、毛髪、粘膜）に光沢または艶をもたらし、あるいは光の拡散散乱で皮膚の凹凸や肌のシワを光学的に隠すことができる。効果顔料の特別な実施形態として、光干渉顔料が好ましい。特に好適な効果顔料は、例えば、少なくとも一種の金属酸化物でコーティングされた雲母粒子である。層状ケイ酸塩には、雲母の他にも、シリカゲルおよび他のＳｉＯ２変態形が支持体として適している。しばしばコーティングに用いられる金属酸化物は、例えば酸化チタンであり、所望により酸化鉄を混ぜることができる。顔料粒子の大きさや形状（例えば、球形、楕円体状、板状、平坦、非平坦）、ならびに酸化物コーティングの厚さにより、反射特性に影響を与えることができる。他の金属酸化物、例えばオキシ塩化ビスマス（ＢｉＯＣｌ）、ならびに、例えば酸化チタン、特にＴｉＯ２−変態形アナターゼおよびルチル、アルミニウム、タンタル、ニオブ、ジルコニウムおよびハフニウムの酸化物。さらに、フッ化マグネシウム（ＭｇＦ２）およびフッ化カルシウム（ホタル石、ＣａＦ２）を用いて効果顔料を製造することもできる。
【０１８７】
上記効果は、粒径によっても、また顔料集合体の粒径分布によっても調節できる。適当な粒径分布は、例えば２〜５０μｍ、５〜２５μｍ、５〜４０μｍ、５〜６０μｍ、５〜９５μｍ、５〜１００μｍ、１０〜６０μｍ、１０〜１００μｍ、１０〜１２５μｍ、２０〜１００μｍ、２０〜１５０μｍ、および＜１５μｍである。例えば２０〜１５０μｍの広い粒径分布は、艶をもたらし、一方、＜１５μｍの狭い粒径分布は、均一な絹のような外観をもたらす。
【０１８８】
本発明による調合物は、効果顔料を、それぞれ調合物の全重量に対して、好ましくは０．１〜２０．０重量％、特に好ましくは０．５〜１０．０重量％、また極めて好ましくは１．０〜５．０重量％の量で含有する。
【０１８９】
パール光沢を与える成分として、好ましく適しているのは、脂肪酸モノアルカノールアミド、脂肪酸ジアルカノールアミド、アルキレングリコール、特にエチレングリコールおよび／またはプロピレングリコールまたはそのオリゴマーと、高級脂肪酸、例えば、パルミチン酸、ステアリン酸、およびベヘン酸とのモノエステルまたはジエステル、グリセリンとカルボン酸、脂肪酸、およびその金属塩とのモノエステルまたはポリエステル、ケトスルホン、または前記化合物の混合体である。特に好ましいのは、エチレングリコールジステアラートおよび／または平均で３グリコール単位を有するポリエチレングリコール−ジステアラートである。
【０１９０】
本発明による調合物が、パール光沢を与える化合物を含有している限り、これらは好ましくは０．１〜１５．０重量％の量で、また特に好ましくは１．０〜１０．０重量％の量で本発明による調合物中に含まれる。
【０１９１】
香油または芳香油として、個別の着臭化合物、例えばエステル、エーテル、アルデヒド、ケトン、アルコール、および炭化水素の類の合成製品を用いることができる。エステル類の着臭化合物は、例えば、酢酸ベンジル、イソ酪酸フェノキシエチル、酢酸ｐ−ｔｅｒｔ．−ブチルシクロヘキシル、酢酸リナリル、酢酸ジメチルベンジルカルビニル、酢酸フェニルエチル、安息香酸リナリル、ギ酸ベンジル、グリシン酸エチルメチルフェニル、プロピオン酸アリルシクロヘキシル、プロピオン酸スチラリル、およびサリチル酸ベンジルである。エーテルには、例えばベンジルエチルエーテルが含まれ、アルデヒドには、例えばＣ８〜Ｃ１８の直鎖状アルカナール、シトラール、シトロネラル、シトロネリルオキシアセトアルデヒド、シクラメンアルデヒド、ヒドロキシシトロネラル、リリアル、およびブルジオナルが含まれ、ケトンには、例えば、イオノン、α−イソメチルイオノン、およびメチルセドリルケトンが含まれ、アルコールには、アネトール、シトロネロール、ユージノール、ゲラニオン、リナロール、フェニルエチルアルコール、およびテルピネオールが含まれ、炭化水素には、主としてテルペンおよびバルサムが属する。好ましくは、様々な着臭剤の混合物が使用され、それらが合わさって魅力的な香調を生み出す。
【０１９２】
芳香油は、例えば松油、カンキツ油、ジャスミン油、ユリ油、バラ油、またはイランイラン油といった植物または動物原料から入手できる天然の着臭物質混合物を含むことがある。また多くの場合に香気成分として用いられる、蒸発性の低い精油、例えば、セージ油、カミルレ油、チョウジ油、メリッサ油、ハッカ油、ケイ皮葉油、シナノキ花油、ビャクシン実油、ベチバー油、乳香油、ガルバヌム油、ラブダナム油も芳香油として適している。
【０１９３】
ｐＨ値調節用の酸またはアルカリ液として、好ましくはミネラル酸、特にＨＣｌ、無機塩基、特にＮａＯＨまたはＫＯＨ、および有機酸、特にクエン酸が使用される。
【０１９４】
調合物のｐＨ値は、好ましくは２〜１０、特に好ましくは３〜９、極めて好ましくは４．５〜８、また非常に好ましくは５．５〜７．５である。
【０１９５】
下記の例および応用により本発明をより詳細に説明するが、それらにより何らの限定を加えるものではない。パーセント表示は、別段に明記されていない限り、全て重量％である。
【実施例】
【０１９６】
以下のリストは、本発明による剤を調製するのに特に有利に適している２８５種の本発明によるコポリマーを示す。番号１〜２８５のそれぞれ異なるコポリマーは、以下の製造方法ａ）、ｂ１）、およびｂ２）により得られる。
【０１９７】
方法ａ）：
これらのポリマーは、ｔｅｒｔ．−ブタノール中でのラジカル重合で製造できる。ここでは、モノマーを、ｔｅｒｔ．−ブタノール中に入れ、反応混合物を不活性処理し、つぎに６０℃に加熱後、ｔｅｒｔ．−ブタノール溶解性の適当な開始剤（好ましくは、過酸化ジラウロイル）を加えて反応を開始した。ポリマーは、反応終了後（２時間）、溶媒を蒸留除去し、続いて真空乾燥させることで単離する。
コポリマー番号１
３５０ｇ  ｔｅｒｔ．−ブタノール、含水率２．５％
５８．２ｇ  ステアリルアクリラート
１．８ｇ  ［２−（アクリロイルオキシ）−エチル］トリメチルアンモニウムクロリド（ＡＯＥＴＡＣ）
２．０ｇ  過酸化ジラウロイル（ＤＬＰ）
【０１９８】
手順：
３５０ｇのｔｅｒｔ．−ブタノールおよび５８．２ｇのステアリルアクリラートを、撹拌器、温度センサ、還流冷却器、およびＮ２導入機構の付いた１Ｌフラスコに仕込み、フラスコを閉じる。つぎにＮ２で不活性化してから、１．８ｇの［２−（アクリロイルオキシ）−エチル］トリメチルアンモニウムクロリド（ＡＯＥＴＡＣ）を加える。内部温度６０℃で、２．０ｇの過酸化ジラウロイル（ＤＬＰ）を用いて反応を開始する。このとき生成するポリマーは、溶液中にとどまる。引き続き撹拌を行った後に、内部温度を還流温度まで上げ、十分に撹拌を続ける。生成物を、真空乾燥槽内で３５℃で乾燥させる。
【０１９９】
方法ｂ）：
ポリマーは、有機溶媒（好ましくは、トルエン、例えばまた第三級アルコール）中での溶液法で製造できる。ここでは、モノマーを溶媒中に入れ、反応混合物を不活性化し、続いて６０℃へ加熱後、適切な開始剤または開始剤系（好ましくは過酸化ジラウロイル）を加えて反応を開始する。反応終了後、溶媒の蒸発または冷却によりポリマーを析出させ、あるいはポリマーが不溶の溶媒中での沈殿により単離し、続いて真空乾燥させる。
方法ｂ１）：ワンポット法
コポリマー番号２７６
３５０ｇ  ｔｅｒｔ．−ブタノール、含水率２．５％
５８．２ｇ  ステアリルアクリラート
１．８ｇ  ［２−（アクリロイルオキシ）−エチル］トリメチルアンモニウムクロリド（ＡＯＥＴＡＣ）、および
６．０ｇ  ラウリルメタクリラート
２．０ｇ  過酸化ジラウロイル（ＤＬＰ）
【０２００】
手順：
３５０ｇのｔｅｒｔ．−ブタノールおよび５８．２ｇのステアリルアクリラートを、撹拌器、温度センサ、還流冷却器、およびＮ２導入機構の付いた１Ｌフラスコに仕込み、フラスコを閉じる。つぎにＮ２で不活性化してから、１．８ｇの［２−（アクリロイルオキシ）−エチル］トリメチルアンモニウムクロリド（ＡＯＥＴＡＣ）および６．０ｇのラウリルメタクリラートを加える。内部温度６０℃で、２．０ｇの過酸化ジラウロイル（ＤＬＰ）を用いて反応を開始する。このとき生成するポリマーは、溶液中にとどまる。引き続き撹拌を行い、続いて内部温度を還流温度まで上げる。十分な撹拌時間後、加熱を止め、室温（ＲＴ）まで冷やす。このときポリマーが沈殿する。沈殿を、吸引ろ過機で吸い、生成物を洗浄し、真空乾燥槽内で３５℃で乾燥させる。
【０２０１】
方法ｂ２）：冷水中での沈殿
コポリマー番号１
３５０ｇ  ｔｅｒｔ．−ブタノール、含水率２．５％
５８．２ｇ  ステアリルアクリラート
１．８ｇ  ［２−（アクリロイルオキシ）−エチル］トリメチルアンモニウムクロリド（ＡＯＥＴＡＣ）
２．０ｇ  過酸化ジラウロイル（ＤＬＰ）
【０２０２】
手順：
３５０ｇのｔｅｒｔ．−ブタノールおよび５８．２ｇのステアリルアクリラートを、撹拌器、温度センサ、還流冷却器、およびＮ２導入機構の付いた１Ｌフラスコに仕込み、フラスコを閉じる。つぎにＮ２で不活性化してから、１．８ｇの［２−（アクリロイルオキシ）−エチル］トリメチルアンモニウムクロリド（ＡＯＥＴＡＣ）を加える。内部温度６０℃で、２．０ｇの過酸化ジラウロイル（ＤＬＰ）を用いて反応を開始する。このとき生成するポリマーは、溶液中にとどまる。引き続き撹拌を行った後、内部温度を還流温度まで上げ十分に撹拌する。続いて高温の原液をポンプで７００ｇの氷冷した水中に送入する。このとき白色沈殿が生じる。これを冷たいまま中孔径円形フィルター（Ｗｅｉｓｓｂａｎｄ−Ｒｕｎｄｆｉｌｔｅｒ）で吸引ろ過し、真空乾燥槽内で３５℃で乾燥させる。
【０２０３】
以下の表Ａに、本発明によるポリマーの例を記載する。その際最初の欄に、成分ａ）による次の構造式（Ｉａ１）のモノマーが示されている。
【０２０４】
【化７】
2012522852.tif 000015
【０２０５】
【表２】
2012522852.tif 000016
2012522852.tif 000017
2012522852.tif 000018
2012522852.tif 000019
2012522852.tif 000020
2012522852.tif 000021
2012522852.tif 000022
2012522852.tif 000023
2012522852.tif 000024
2012522852.tif 000025
2012522852.tif 000026
2012522852.tif 000027
2012522852.tif 000028
2012522852.tif 000029
2012522852.tif 000030
2012522852.tif 000031
【０２０６】
本発明によるコポリマーにより、以下の化粧用調合物を製造した。
例１：Ｗ／Ｏ−クリーム
Ａ  パラフィン油                              １２．５０％
パルミチン酸イソプロピル                    ７．５０％
大豆油                                      ５．００％
ステアリン酸マグネシウム                    １．００％
コポリマー番号１                            ２．００％
Ｂ  水                                      ａｄ  １００％
Ｃ  保存剤                                            適量
製造
Ｉ        成分Ａを８０℃で融解する。
ＩＩ      Ｂを８０℃に加温する。
ＩＩＩ    ＩＩをＩに撹拌しながら入れる。
ＩＶ      Ｃを３５℃で加える。
【０２０７】
例２：Ｗ／Ｏ−クリーム
Ａ  オレイン酸デシル                            ７．５０％
スクアラン                                  ７．５０％
Ｖｅｌｓａｎ（登録商標）ＣＣＴ              ７．５０％
カプリル−カプリン酸−トリグリセリド
パルミチン酸イソプロピル                    ７．５０％
ステアリン酸マグネシウム                    ０．６７％
ステアリン酸アルミニウム                    ０．３３％
コポリマー番号１                            ２．５０％
Ｂ  水                                      ａｄ  １００％
１．２−プロピレングリコール                ２．００％
硫酸マグネシウム                            １．００％
Ｃ  保存剤                                            適量
酢酸トコフェロール                          ０．１０％
製造
Ｉ        成分Ａを８０℃で融解する。
ＩＩ      成分Ｂを混ぜ、８０℃に加温する。
ＩＩＩ    ＩＩをＩに撹拌しながら入れる。
ＩＶ      Ｃを３５℃で加える。
【０２０８】
例３：Ｗ／Ｏ−クリーム
Ａ  ポリグリセリル−２−セスキイソステアラート  ２．００％
パラフィン油                              １２．５０％
パルミチン酸イソプロピル                    ７．５０％
大豆油                                      ５．００％
ステアリン酸マグネシウム                    １．００％
コポリマー番号１                            ２．００％
Ｂ  水                                      ａｄ  １００％
Ｃ  保存剤                                            適量
製造
Ｉ        成分Ａを８０℃で融解する。
ＩＩ      成分Ｂを８０℃に加温する。
ＩＩＩ    ＩＩをＩに撹拌しながら入れる。
ＩＶ      Ｃを３５℃で加える。
【０２０９】
例４：Ｗ／Ｏ−クリーム
Ａ  ポリグリセリル−２−セスキイソステアラート  ２．００％
蜜ろう                                      １．００％
マイクロクリスタリンワックス                １．００％
パラフィン油                              １２．５０％
パルミチン酸イソプロピル                    ７．５０％
大豆油                                      ５．００％
ステアリン酸マグネシウム                    １．００％
コポリマー番号１                            １．００％
Ｂ  水                                  ａｄ  １００
Ｃ  保存剤                                            適量
製造
Ｉ        成分Ａを８０℃で融解する。
ＩＩ      成分Ｂを８０℃に加温する。
ＩＩＩ    ＩＩをＩに撹拌しながら入れる。
ＩＶ      Ｃを３５℃で加える。
【０２１０】
例５：Ｗ／Ｏ−クリーム
Ａ  蜜ろう                                      ２．００％
マイクロクリスタリンワックス                ３．００％
パラフィン油                              １２．５０％
パルミチン酸イソプロピル                    ７．５０％
大豆油                                      ５．００％
ステアリン酸マグネシウム                    １．００％
コポリマー番号１                            １．００％
Ｂ  水                                  ａｄ  １００
Ｃ  保存剤                                            適量
製造
Ｉ        成分Ａを８０℃で融解する。
ＩＩ      成分Ｂを８０℃に加温する。
ＩＩＩ    ＩＩをＩに撹拌しながら入れる。
ＩＶ      Ｃを３５℃で加える。
【０２１１】
例６：クリームリンス
Ａ  Ｈｏｓｔａｃｅｒｉｎ（登録商標）Ｔ３  セテアレス−３        １．５０％
セチルアルコール                                            ３．００％
コポリマー番号３０                                          １．００％
Ｇｅｎａｍｉｎ（登録商標）ＣＴＡＣ  セトリモニウムクロリド  ２．３０％
Ｂ  水                                                      ａｄ  １００％
Ｃ  クエン酸                                                          適量
製造
Ｉ        成分Ａを８０℃で融解する。
ＩＩ      ＣをＢにｐＨ３．７まで加え、８０℃に加温する。
ＩＩＩ    ＩＩをＩに撹拌しながら入れ、３５℃に冷えるまでさらに撹拌する。
【０２１２】
例７：クリームリンス
Ａ  Ｈｏｓｔａｃｅｒｉｎ（登録商標）Ｔ３  セテアレス−３        １．５０％
セチルアルコール                                            ３．００％
コポリマー番号３０                                          ０．５０％
Ｇｅｎａｍｉｎ（登録商標）ＣＴＡＣ  セトリモニウムクロリド  １．６５％
Ｂ  水                                                      ａｄ  １００％
Ｃ  クエン酸                                                          適量
製造
Ｉ        成分Ａを８０℃で融解する。
ＩＩ      ＣをＢにｐＨ３．７まで加える。
ＩＩＩ    ＩＩを８０℃に加温する。
ＩＶ      ＩＩＩをＩに撹拌しながら入れ、３５℃に冷えるまでさらに撹拌する。
【０２１３】
例８：日焼け防止用クリームゲル
Ａ  Ｔｅｇｏｓｏｆｔ（登録商標）ＴＮ            ８．００％
Ｃ１２〜Ｃ１５アルキルベンゾアート
Ｖｅｌｓａｎ（登録商標）ＣＣＴ              ５．００％
カプリル−カプリン酸−トリグリセリド
Ｅｕｓｏｌｅｘ（登録商標）                  ９．００％
ＯＣＲ  オクトクリレン
Ｅｕｓｏｌｅｘ（登録商標）２２９２          ７．００％
メトキシケイ皮酸エチルヘキシル
Ｅｕｓｏｌｅｘ（登録商標）９０２０          ２．５０％
ブチルメトキシジベンゾイルメタン
セテアリールアルコール                      １．００％
Ｅｍｕｌｓｏｇｅｎ（登録商標）ＨＣＯ０４０
ＰＥＧ−４０水添ヒマシ油                    １．００％
コポリマー番号１                            ２．００％
Ｐｈｅｎｏｎｉｐ（登録商標）                      適量
フェノキシエタノール、メチルパラベン、
エチルパラベン、ブチルパラベン、
プロピルパラベン、イソブチルパラベン
Ｂ  水                                ａｄ  １００．００％
製造
Ｉ        成分Ａを７０℃で融解する。
ＩＩ      成分Ｂを７０℃まで加温する。
ＩＩＩ    ＩＩをＩに撹拌しながら入れる。
【０２１４】
例９：クリームリンス
Ａ  Ｄｏｗ  Ｃｏｒｎｉｎｇ（登録商標）５２００  １．００％
ラウリルメチコン−コポリオール
セチルエステル                              １．００％
セテアリールアルコール                      ３．００％
Ｂ  Ｇｅｎａｍｉｎ（登録商標）ＫＤＭＰ          ０．５０％
ベヘントリモニウムクロリド
コポリマー番号３０                          １．００％
Ｃ  水                                ａｄ  １００．００％
保存剤                                            適量
Ｈｙｄｒｏｔｒｉｔｉｃｕｍ  ＷＱ            １．００％
Ｄ  香料                                        ０．３０％
染料                                              適量
Ｄｏｗ  Ｃｏｒｎｉｎｇ（登録商標）９４９    ２．００％
アモジメチコン、セトリモニウムクロリド、トリデセス−１２
製造
Ｉ        成分Ａを７５℃で融解する。
ＩＩ      ＢをＣに撹拌しながら入れ、７５℃に加温する。
ＩＩＩ    ＩＩをＩに撹拌しながら入れ、３０℃に冷えるまでさらに撹拌する。
ＩＶ      Ｄを温度３０℃でＩＩＩに加える。
Ｖ        ＩＶをｐＨ４．０に調節する。
【０２１５】
例１０：クリームリンス
Ａ  Ｈｏｓｔａｃｅｒｉｎ（登録商標）ＤＧＩ                  １．５０％
ポリグリセリル−２−セスキイソステアラート
セチルアルコール                                        ４．００％
Ｂ  Ｇｅｎａｍｉｎ（登録商標）ＢＴＬＦ                      ２．３０％
ベヘントリモニウムクロリド
コポリマー番号３０                                      １．００％
水                                                  ａｄ  １００％
Ｃ  香料                                                    ０．３０％
保存剤                                                        適量
染料                                                          適量
ＳｉｌＣａｒｅ（登録商標）Ｓｉｌｉｃｏｎｅ  ＳＥＡ      １．００％
トリデセス−９  ＰＧ−アモジメチコン、
トリデセス−１２
製造
Ｉ        成分Ａを７０℃で融解する。
ＩＩ      Ｂを７０℃に加温する。
ＩＩＩ    ＩＩをＩに撹拌しながら入れ、３０℃に冷えるまでさらに撹拌する。
ＩＶ      Ｃを３０℃でＩＩＩに加える。
Ｖ        ＩＶをｐＨ４．０に調節する。
【０２１６】
例１１：子供用日焼け防止剤
Ａ  Ａｂｉｌ（登録商標）ＥＭ  ９０                          ２．００％
セチルＰＥＧ／ＰＰＧ−１０／１ジメチコン
Ｄｏｗ  Ｃｏｒｎｉｎｇ（登録商標）２４６              １１．００％
シクロペンタシロキサン／シクロヘキサシロキサン
Ｔｉｔａｎｄｉｏｘｉｄ  ＵＶ  Ｔｉｔａｎ  Ｍ  ２６２  １０．００％
二酸化チタン／酸化アルミニウム／ステアリン酸
Ｃｒｏｄａｍｏｌ  ＡＢ                                １２．００％
Ｃ１２−Ｃ１５アルキルベンゾアート
Ｚｉｎｋｏｘｉｄ  ＨＰ１                      酸化亜鉛  ４．００％
１，３−ブタンジオール（ブチレングリコール）            ３．００％
Ａｂｉｌ（登録商標）ＷＥ０９                            ６．００％
ヘキシルラウラート／ポリグリセリル−４イソステアラート／セチルジメチコン
コポリマー番号１                                        ０．５０％
アルミニウム／マグネシウム水酸化ステアラート            ０．５０％
ステアリン酸アルミニウム                                ０．５０％
Ｃｕｔｉｎａ（登録商標）ＨＲ                            ０．５０％
水添ヒマシ油
Ｂ  水                                                    ａｄ１００％
グリセリン                                              ５．００％
イチョウ抽出物（液体）                                  ０．７０％
カルボキシメチルβ−グルタンナトリウム            ０．２０％
（ポリグルコース）
Ａｑｕａｍｏｌｌｉｎ  ＢＣ  ｐｌｖ．  Ｈｏｋｏ          ０．２０％
二ナトリウム−ＥＤＴＡ
Ｃ  Ｐｈｅｎｏｎｉｐ（登録商標）ＭＥ                        ０．８０％
メチル／プロピル−パラベン／フェノキシエタノール
塩化ナトリウム                                          １．００％
水酸化アルミニウム                                      ０．３０％
製造
Ｉ        成分Ａを８０℃で融解する。
ＩＩ      成分Ｂを８０℃に加温する。
ＩＩＩ    ＩＩをＩに撹拌しながら入れる。
ＩＶ      ３５℃に冷却後、ＣをＩＩＩに加える。
【０２１７】
例１２：パラフィン油ゲル
コポリマー番号２７７                          ５．００％
パラフィン油                                ９５．００％
製造
Ｉ  均質な溶液が得られるまで成分を混合および加温する。
ゲルの評価は、室温への冷却後に行った。得られた油ゲルは、無色で、透明ないし軽度に不透明であった。
【０２１８】
例１３：Ｖｅｌｓａｎ（登録商標）ＣＣＴ（カプリン酸／カプリル酸トリグリセリド、Ｃｌａｒｉａｎｔ社）の増粘
コポリマー番号６０                            ５．００％
Ｖｅｌｓａｎ（登録商標）ＣＣＴ              ９５．００％
カプリル酸／カプリン酸トリグリセリド
製造
Ｉ  均質な溶液が得られるまで成分を混合および加温する。
ゲルの評価は、室温への冷却後に行った。得られた油ゲルは、コハク色で、透明ないし軽度に不透明であった。
【０２１９】
例１４：菜種油メチルエステルの増粘
コポリマー番号４０                            ５．００％
菜種油メチルエステル                        ９５．００％
製造
Ｉ  均質な溶液が得られるまで成分を混合および加温する。
ゲルの評価は、室温への冷却後に行った。得られた油ゲルは、濃い黄色で、透明ないし軽度に不透明であった。
【０２２０】
例１５：ヒマワリ油／大豆油（２３：７７重量％の混合物）の増粘
コポリマー番号５２                            ５．００％
ヒマワリ油／大豆油                          ９５．００％
製造
Ｉ  均質な溶液が得られるまで成分を混合および加温する。
ゲルの評価は、室温への冷却後に行った。得られた油ゲルは、黄色で、透明ないし軽度に不透明であった。
【０２２１】
例Ａ
調合例１〜５、８、および１１を再現し、ポリマー番号１に代り、表Ａからのそれぞれポリマー番号４、２５、３０、３１、３３、３９、４０、４４、５２、６０、１１１、２７３、２７５、２７６、２７７、２７８、および２８２を同じ量使用した。これら調合物を４０℃で貯蔵し、この温度で６週間保った。安定な調合物が得られた。
【０２２２】
例Ｂ
調合例６、７、９、および１０を再現し、ポリマー番号３０に代り、表Ａからのポリマー番号１、４、２５、３１、３３、３９、４０、４４、５２、６０、１１１、２７３、２７５、２７６、２７７、２７８、および２８２を同じ量使用した。均質なクリームリンスが得られた。
【０２２３】
例Ｃ
調合例１２〜１５において、代わりに、それぞれのポリマー２重量％と、油９８重量％とを使用した。ポリマーの割合が減少しても、良好ないし非常に良好な増粘特性が達成された。
【０２２４】
例Ｄ
調合例１２〜１５を再現し、その際、調合例１２では、ポリマー番号２７７に代り表Ａからのポリマー番号１、４、２５、３０、３１、３３、３９、４０、４４、５２、６０、１１１、２７３、２７５、２７６、２７８、および２８２を、調合例１３では、ポリマー番号６０に代りポリマー番号１、４、２５、３０、３１、３３、３９、４０、４４、５２、１１１、２７３、２７５、２７６、２７７、２７８、および２８２を、調合例１４では、ポリマー番号４０に代りポリマー番号１、４、２５、３０、３１、３３、３９、４４、５２、６０、１１１、２７３、２７５、２７６、２７７、２７８、および２８２を、調合例１５では、ポリマー番号５２に代りポリマー番号１、４、２５、３０、３１、３３、３９、４０、４４、６０、１１１、２７３、２７５、２７６、２７７、２７８、および２８２を同じ量使用した。油ゲルは、目視では２０℃で曇りが無く（Ｋｌａｒ）、透明ないし軽度に不透明と判定された。
【０２２５】
例Ｅ
例Ｄの調合例を再現し、しかしその際、対応するポリマーを５重量％ではなくそれぞれ２重量％のポリマーと、油９８重量％とを使用した。ポリマーの割合が減少しても、良好ないし非常に良好な増粘特性が達成された。
【０２２６】
例Ｆ
例Ａ〜Ｅの調合例を再現し、その際、例Ａ〜Ｅで用いたポリマーに代り、表Ａからのポリマー番号１２１、１２３、１３２、１３５、１３６、１４０、１４１、１４５、１４７、１８９、１９７、１９９、２０８、２１１、２１２、２１６、２１７、２２１、２２３、および２６５を同じ量使用した。
【０２２７】
使用した略称または商品名の化学名またはＩＮＣＩ名称
ＡＭＡ          アリルメタクリラート
ＡＯＥＴＡＣ    ［２−（アクリロイルオキシ）エチル］トリメチルアンモニウムクロリド
ＡＰＴＡＣ        ［３−アクリルアミドプロピル］トリメチルアンモニウムクロリド
Ｂ２５０ＭＡ      ２５個のＥＯ単位を有するエトキシ化ベヘニルメタクリラート
ＢＤＤＭＡ        ブタンジオールジメタクリラート
ＤＡＤＭＡＣ      ジアリルジメチルアンモニウムクロリド
ＤＤＤＭＡ        ドデカンジオールジメタクリラート
ＥＤＤＭＡ        エタンジオールジメタクリラート
ＨＤＤＭＡ        ヘキサンジオールジメタクリラート
ＨＥＭＡ          ２−ヒドロキシエチルメタクリラート
ＬＡ０７０ＭＡ    ７個のＥＯ単位でエトキシ化されたラウリルメタクリラート
ＭＡＯＥＴＡＣ    ［２−（メタクリロイルオキシ）エチル］トリメチルアンモニウムクロリド
ＭＡＰＴＡＣ      ［３−メタクリルアミドプロピル］トリメチルアンモニウムクロリド
ＭＢＡ            メチレン−ビス−アクリルアミド
ＰＥＧ−Ｄｉａｃｒｙｌａｔ  ポリエチレングリコール−ジアクリラート、
平均分子量Ｍｎ＝５７５
Ｐｏｌｙ−ＮＶＰ  ポリ−Ｎ−ビニルピロリドン
Ｔ０８０ＭＡ      ８個のＥＯ単位でエトキシ化されたタリルメタクリラート
Ｔ２５０ＭＡ      ２５個のＥＯ単位でエトキシ化されたタリルメタクリラート
ＴＥＭＰＯ        ２，２，６，６−テトラメチルピペリジニルオキシ
ＴＭＰＴＡ        トリメチロールプロパントリアクリラート
ＴＭＰＴＭＡ      トリメチロールプロパントリメタクリラート
【手続補正書】
【提出日】平成23年2月1日(2011.2.1)
【手続補正１】
【補正対象書類名】特許請求の範囲
【補正対象項目名】全文
【補正方法】変更
【補正の内容】
【特許請求の範囲】
【請求項１】
以下を含むコポリマー：
ａ）  下記構造式（Ｉ）
【化１】
2012522852.tif 000037
［ここで、
Ｒ１は、水素またはメチルを意味し、
Ｙは、Ｏ、ＮＲ３、Ｓ、ＣＨ２Ｏ、ＣＨ２ＮＲ３、ＣＨ２Ｓ、Ｃ（Ｏ）、Ｃ（ＮＲ３）、Ｃ（Ｏ）ＯまたはＣ（Ｏ）ＮＲ３を意味し、
Ｒ２は、１２〜２００個のＣ原子を有する直鎖状または分岐状の飽和アルキル残基、または直鎖状または分岐状の、１２〜２００個のＣ原子を有するモノまたはポリ不飽和アルケニル残基を意味し、
Ｒ３は水素またはメチルを意味し、  
ｎおよびｍは、それぞれ互いに独立に、０〜２００の整数を意味する］
で表される重合性物質に由来する１つまたは複数の構造単位を６０．０〜９９．９重量％、
ｂ）  重合性第四級アンモニウム化合物に由来する１つまたは複数の構造単位を０．１〜２０．０重量％、および
ｃ）  １つまたは複数のさらなる重合性物質に由来する１つまたは複数の非イオン性構造単位を０〜２０．０重量％。
【請求項２】
下記構造式（Ｉ）：
【化２】
2012522852.tif 000038
［ここで、
Ｒ１は、水素またはメチルを意味し、
Ｙは、Ｏ、ＮＲ３、ＣＨ２Ｏ、ＣＨ２ＮＲ３、Ｃ（Ｏ）ＯまたはＣ（Ｏ）ＮＲ３、そして好ましくは、Ｃ（Ｏ）ＯまたはＣ（Ｏ）ＮＲ３を意味し、
Ｒ２は、直鎖状または分岐状の１２〜２００、好ましくは１２〜５８、特に好ましくは１２〜４０、および極めて好ましくは１２〜３０個のＣ原子を有する飽和アルキル残基、または直鎖状または分岐状の、１２〜２００、好ましくは１２〜５８、特に好ましくは１２〜４０、および極めて好ましくは１２〜３０個のＣ原子を有するモノまたはポリ不飽和アルケニル残基を意味し、
Ｒ３は、水素またはメチルを意味し、そして
ｎおよびｍは、それぞれ互いに独立に、０〜２００、好ましくは０〜１００、特に好ましくは０〜５０、および極めて好ましくは０〜３０の整数を意味する］
で表される重合性物質に由来する１つまたは複数の成分ａ）の構造単位を６０．０〜９９．９重量％含むことを特徴とする、請求項１に記載のコポリマー。
【請求項３】
下記構造式（Ｉａ）および（Ｉｂ）から選ばれる１つまたは複数の重合性化合物に由来する成分ａ）の１つまたは複数の構造単位を６０．０〜９９．９重量％含むことを特徴とする、請求項１または２に記載のコポリマー：
【化３】
2012522852.tif 000039
［ここで、
Ｒ１は、水素またはメチルを意味し、
Ｒ２は、直鎖状または分岐状の１２〜２００、好ましくは１２〜５８、特に好ましくは１２〜４０、および極めて好ましくは１２〜３０個のＣ原子を有する飽和アルキル残基、または直鎖状または分岐状の、１２〜２００、好ましくは１２〜５８、特に好ましくは１２〜４０、および極めて好ましくは１２〜３０個のＣ原子を有するモノまたはポリ不飽和アルケニル残基を意味し、そして
ｎおよびｍは、それぞれ互いに独立に、０〜２００、好ましくは０〜１００、特に好ましくは０〜５０、および極めて好ましくは０〜３０の整数を意味し、和ｎ＋ｍが、１〜２００、好ましくは２〜１００、特に好ましくは３〜５０、および極めて好ましくは３〜３０の数である］。
【請求項４】
式（Ｉａ）の前記化合物が、ラウリルアクリラート、ラウリルメタクリラート、ヘキサデシルアクリラート、ヘキサデシルメタクリラート、ステアリルアクリラート、ステアリルメタクリラート、イソステアリルアクリラート、イソステアリルメタクリラート、オクチルドデシルアクリラート、オクチルドデシルメタクリラート、ベヘニルアクリラートおよびベヘニルメタクリラートから選択され、そして式（Ｉｂ）の前記化合物が、７個のＥＯ単位を有するラウリルアルコールのアクリル酸エステル、７個のＥＯ単位を有するラウリルアルコールのメタクリル酸エステル、８個のＥＯ単位を有するタリル（Ｔａｌｙｌ）アルコールのアクリル酸エステル、８個のＥＯ単位を有するタリルアルコールのメタクリル酸エステル、２５個のＥＯ単位を有するタリルアルコールのアクリル酸エステル、２５個のＥＯ単位を有するタリルアルコールのメタクリル酸エステル、２５個のＥＯ単位を有するベヘニルアルコールのアクリル酸エステルおよび２５個のＥＯ単位を有するベヘニルアルコールのメタクリル酸エステルから選択されることを特徴とする、請求項３に記載のコポリマー。
【請求項５】
式（Ｉ）の化合物中、または式（Ｉａ）および（Ｉｂ）の化合物中のＲ２が、直鎖状または分岐状の、好ましくは直鎖状の、１２〜２００、好ましくは１２〜５８、特に好ましくは１２〜４０、および極めて好ましくは１２〜３０個のＣ原子を有する飽和アルキル残基であることを特徴とする、請求項１〜４のいずれか一つに記載のコポリマー。
【請求項６】
前記成分ｂ）の構造単位が、以下：
ｂ１）  下記構造式（ＩＩ）
Ｘ−＋ＮＲ７Ｒ８Ｒ９Ｒ１０      （ＩＩ）
［ここで、
Ｘ−は、負に荷電した対イオンを意味し、
Ｒ７は、ビニル残基、アリル残基、または以下の構造式（ＩＩＩ）
【化４】
2012522852.tif 000040
（ここで、
Ｒ１１は、水素またはメチルを意味し、
Ｚは、Ｏ、ＮＨ、ＮＣＨ３またはＳを意味し、
ｎは、１〜５０の整数を意味する）
で表される残基を意味し、
Ｒ８は、直鎖状または分岐状の、１〜５０個のＣ原子を有するアルキル残基、または残基Ｒ７を意味し、
Ｒ９は、直鎖状または分岐状の、１〜５０個のＣ原子を有するアルキル残基、または残基Ｒ７を意味し、そして
Ｒ１０は、直鎖状または分岐状の、１〜５０個のＣ原子を有するアルキル残基を意味する］
で表される重合性第四級アンモニウム化合物、および
ｂ２）  下記構造式（ＩＶ）
【化５】
2012522852.tif 000041
［ここで、
ｏおよびｐは、それぞれ互いに独立に０〜５の整数を意味し、
Ａは、Ｃ、ＣＨ、ＮまたはＰを意味し、そして
Ｘ−は、負に荷電した対イオンを意味する］
で表される重合性環状第四級アンモニウム化合物、
から選択される物質に由来することを特徴とする、請求項１〜５のいずれか一つに記載のコポリマー。
【請求項７】
式（ＩＩ）および（ＩＶ）中の前記負に荷電した対イオンＸ−が、塩化物、臭化物、ヨウ化物、１／２ＳＯ４２−およびメトスルファートから選択されることを特徴とする、請求項６に記載のコポリマー。
【請求項８】
前記成分ｂ）の構造単位が、ジアリルジメチルアンモニウムクロリド（ＤＡＤＭＡＣ）、［２−（メタクリロイルオキシ）エチル］トリメチルアンモニウムクロリド（ＭＡＯＥＴＡＣ）、［２−（アクリロイルオキシ）エチル］トリメチルアンモニウムクロリド（ＡＯＥＴＡＣ）、［２−メタクリルアミドエチル］トリメチルアンモニウムクロリド、［２−（アクリルアミド）エチル］トリメチルアンモニウムクロリド、［３−メタクリルアミドプロピル］トリメチルアンモニウムクロリド（ＭＡＰＴＡＣ）、［３−アクリルアミドプロピル］トリメチルアンモニウムクロリド（ＡＰＴＡＣ）、Ｎ−メチル−２−ビニルピリジニウムクロリド、Ｎ−メチル−４−ビニルピリジニウムクロリド、およびＮ−メチル−３−ビニルイミダゾリニウムクロリドから選択される重合性第四級アンモニウム化合物に由来することを特徴とする、請求項１〜７のいずれか一つに記載のコポリマー。
【請求項９】
前記成分ｂ）の構造単位が、前記構造式（ＩＩ）の重合性第四級アンモニウム化合物に由来することを特徴とする、請求項６〜８のいずれか一つに記載のコポリマー。
【請求項１０】
架橋を生じることのできる、１つを超える重合性基を有するモノマーから選択される物質に由来する前記成分ｃ）の構造単位を１つまたはそれ以上含むことを特徴とする、請求項１〜９のいずれか一つに記載のコポリマー。
【請求項１１】
前記成分ｃ）の構造単位が、ジビニルベンゼン、メチレンビスアクリルアミド（ＭＢＡ）、トリアリルアミン、トリアリルシアシアヌラート、エタンジオールジアクリラート、エタンジオールジメタクリラート（ＥＤＤＭＡ）、ブタンジオールジアクリラート、ブタンジオールジメタクリラート（ＢＤＤＭＡ）、ヘキサンジオールジアクリラート、ヘキサンジオールジメタクリラート（ＨＤＤＭＡ）、ドデカンジオールジアクリラート、ドデカンジオールジメタクリラート（ＤＤＤＭＡ）、トリメチロールプロパントリアクリラート（ＴＭＰＴＡ）、トリメチロールプロパントリメタクリラート（ＴＭＰＴＭＡ）、グリセリンジアクリラート、グリセリンジメタクリラート、テトラエチレングリコールジアクリラート、テトラエチレングリコールジメタクリラート、モル質量４００〜８００ｇ／ｍｏｌのポリエチレングリコールジアクリラート、モル質量４００〜８００ｇ／ｍｏｌのポリエチレングリコールジメタクリラート、アクリル酸アリルエステル、メタクリル酸アリルエステルまたはエタクリル酸アリルエステル、好ましくはアクリル酸アリルエステルまたはメタクリル酸アリルエステル、および特に好ましくはメタクリル酸アリルエステル（ＡＭＡ）、ジプロピレングリコールジアリルエーテル、ポリグリコールジアリルエーテル、ヒドロキノンジアリルエーテル、トリメチロールプロパンジアリルエーテル、トリメチロールプロパントリアリルエーテル、テトラアリルオキシエタン、トリエチレングリコールジビニルエーテル、および他の多官能性アルコールのアリルエーテル類もしくはビニルエーテル類、ならびに前記物質の混合物から選択される物質に由来することを特徴とする、請求項１〜１０のいずれか一つに記載のコポリマー。
【請求項１２】
前記成分ａ）の構造単位の量が６０．０〜９９．５重量％、前記成分ｂ）の構造単位の量が０．５〜２０．０重量％、および前記成分ｃ）の構造単位の量が０〜２０．０重量％であることを特徴とする、請求項１〜１１のいずれか一つに記載のコポリマー。
【請求項１３】
前記成分ａ）の構造単位の量が８０．０〜９８．０重量％、前記成分ｂ）の構造単位の量が０．７〜１１．０重量％、および前記成分ｃ）の構造単位の量が０〜１１．０重量％であることを特徴とする、請求項１〜１２のいずれか一つに記載のコポリマー。
【請求項１４】
コポリマーにおける式（Ｉａ）の化合物に由来する構造単位：式（Ｉｂ）の化合物に由来する構造単位の重量比が１．０：０〜０．８であることを特徴とする、請求項３〜５のいずれか一つに記載のコポリマー。
【請求項１５】
アニオン性の重合性物質に由来する構造単位を含まないことを特徴とする、請求項１〜１４のいずれか一つに記載のコポリマー。
【請求項１６】
成分ａ）およびｂ）で挙げた構造単位からなることを特徴とする、請求項１〜１５のいずれか一つに記載のコポリマー。
【請求項１７】
成分ａ）、ｂ）およびｃ）で挙げた構造単位からなることを特徴とする、請求項１〜１５のいずれか一つに記載のコポリマー。
【請求項１８】
前記成分ｃ）の構造単位が架橋性構造単位から選択されることを特徴とする、請求項１７に記載のコポリマー。
【請求項１９】
モノマーをラジカル重合させることを特徴とする、請求項１〜１８のいずれか一つに記載のコポリマーの製造方法。
【請求項２０】
請求項１〜１８のいずれか一つに記載のコポリマーを１種または複数種含む化粧用、医薬用または皮膚用調合物。
【請求項２１】
油を増粘するための、請求項１〜１８のいずれか一つに記載の１種または複数種のコポリマーの使用。
【請求項２２】
繊維、好ましくはケラチン繊維のコンディショニングのための、請求項１〜１８のいずれか一つに記載の１種または複数種のコポリマーの使用。
【請求項２３】
日焼け防止調合物の耐水性の向上のための、請求項１〜１８のいずれか一つに記載の１種または複数種のコポリマーの使用。
【請求項２４】
日焼け防止調合物の紫外線防御指数の向上のための、請求項１〜１８のいずれか一つに記載の１種または複数種のコポリマーの使用。
【請求項２５】
乳化剤としての、請求項１〜１８のいずれか一つに記載の１種または複数種のコポリマーの使用。
【国際調査報告】
2012522852.tif 000042
2012522852.tif 000043
2012522852.tif 000044
2012522852.tif 000045
2012522852.tif 000046
2012522852.tif 000047
2012522852.tif 000048
2012522852.tif 000049
2012522852.tif 000050
2012522852.tif 000051